(57)【要約】要約課題  病害虫及び／又は雑草に対する防除作用、並びに、植物の成長調整作用を有する微生物農薬製剤組成物において、その防除作用や成長調整作用がより向上した微生物農薬製剤組成物、その製造方法及びその使用による病害虫や雑草の防除方法、植物成長調整方法等を提供する。解決手段  穀物の種子及び／又はその精白物を固体培地としたトリコデルマ（Ｔｒｉｃｈｏｄｅｒｍａ）属菌固体培養物の粉砕物を含有してなる農薬製剤組成物を施用することで、上記課題を解決する。選択図  なし【特許請求の範囲】
【請求項１】
穀物の種子及び／又はその精白物を固体培地としたトリコデルマ（Ｔｒｉｃｈｏｄｅｒｍａ）属菌固体培養物の粉砕物を含有してなる農薬製剤組成物。
【請求項２】
トリコデルマ属菌が、アスペレロイデス（ａｓｐｅｒｅｌｌｏｉｄｅｓ）種菌、アスペレラム（ａｓｐｅｒｅｌｌｕｍ）種菌、アトロビリデ（ａｔｒｏｖｉｒｉｄｅ）種菌、ハマタム（ｈａｍａｔｕｍ）種菌、ハルジアナム（ｈａｒｚｉａｎｕｍ）種菌、コニンギ（ｋｏｎｉｎｇｉｉ）種菌のいずれかである請求項１に記載の農薬製剤組成物。
【請求項３】
トリコデルマ属菌が、アスペレロイデス種菌である請求項２に記載の農薬製剤組成物。
【請求項４】
アスペレロイデス種菌が、トリコデルマ・アスペレロイデス  ＳＫＴ−１株（ＦＥＲＭ  ＢＰ−１６５１０）である請求項３に記載の農薬製剤組成物。
【請求項５】
農薬製剤組成物中１ｇ中にトリコデルマ属菌が１０〜１０１０ＣＦＵ（Ｃｏｌｏｎｙ  Ｆｏｒｍｉｎｇ  Ｕｎｉｔ）含まれることを特徴とする請求項１〜４のいずれか１項に記載の農薬製剤組成物。
【請求項６】
固体培地が、穀物の種子の精白物である請求項１〜５のいずれか１項に記載の農薬製剤組成物。
【請求項７】
穀物が、イネ科穀物である請求項１〜６のいずれか１項に記載の農薬製剤組成物。
【請求項８】
イネ科穀物が、大麦である請求項７に記載の農薬製剤組成物。
【請求項９】
粒状農薬製剤組成物であることを特徴とする請求項１〜８のいずれか１項に記載の農薬製剤組成物。
【請求項１０】
粒状農薬製剤組成物が、粒径２ｍｍ未満の粒子を４０質量％以上含有してなる請求項９に記載の農薬製剤組成物。
【請求項１１】
粒状農薬製剤組成物が、粒径１００μｍ以上２ｍｍ未満の粒子を４０質量％以上含有してなる請求項１０に記載の農薬製剤組成物。
【請求項１２】
トリコデルマ属菌を、穀物の種子及び／又はその精白物を固体培地として用いて固体培養し、培養したトリコデルマ属菌が固体培地に付着するトリコデルマ属菌固体培養物を得た後、該培養物を粉砕機で１秒以上粉砕することを特徴とする農薬製剤組成物の製造方法。
【請求項１３】
トリコデルマ属菌固体培養物を粒状に粉砕し、粒状農薬製剤組成物とすることを特徴とする請求項１２に記載の方法。
【請求項１４】
粒状農薬製剤組成物中に、粒径２ｍｍ未満の粒子を４０質量％以上含有させることを特徴とする請求項１３に記載の方法。
【請求項１５】
粒状農薬製剤組成物中に、粒径１００μｍ以上２ｍｍ未満の粒子を４０質量％以上含有させることを特徴とする請求項１４に記載の方法。
【請求項１６】
請求項１〜１１のいずれか１項に記載の農薬製剤組成物を、植物の苗、苗木又は種子に施用し、該植物を栽培することを特徴とする、雑草、病害、害虫から選ばれる１以上の防除及び／又は植物成長調整方法。
【請求項１７】
請求項１〜１１のいずれか１項に記載の農薬製剤組成物を、植物を栽培する土壌に施用することを特徴とする、雑草、病害、害虫から選ばれる１以上の防除及び／又は植物成長調整方法。
【請求項１８】
土壌１ｍ２あたり農薬製剤組成物を５〜１０００ｇ施用することを特徴とする請求項１７に記載の方法。
【発明の詳細な説明】
【技術分野】
【０００１】
本発明は、微生物農薬製剤組成物等に関する。詳細には、病害虫、雑草等に対する防除作用、植物成長調整作用などを示すトリコデルマ属菌を農薬活性成分とするものであって、その防除作用や成長調整作用がより向上した農薬製剤組成物、その製造方法、及びその使用による病害虫、雑草等の防除方法、植物成長調整方法等に関する。
【背景技術】
【０００２】
有用植物の病害虫防除や雑草防除などは、効率よく農業生産を行う上で不可欠な作業であり、この目的のために合成農薬が使用され、大きな功績を挙げている。しかしながら、近年、合成農薬の多投与による抵抗性害虫の発生や環境破壊の問題が取り上げられるようになり、いかに環境負荷を低減させ効率よく、継続的に農業生産を行っていくかが農業分野での重要な課題となってきた。【０００３】
その解決策の一つとして、微生物の機能を利用した微生物農薬が提案されており、その単独使用や、これと合成農薬を組み合わせて使用することにより、環境負荷の低減効果や、合成農薬では大きな問題となっている薬剤耐性病害虫や薬剤耐性雑草などの出現頻度の抑制効果が認められている。【０００４】
害虫、病害、雑草に対する防除活性等を示し、農業生産性を向上させる有用微生物の中に、菌糸と呼ばれる管状の細胞から構成されている糸状菌類がある。この糸状菌類を農業資材として活用する技術については多岐に渡る検討の報告がなされており、例えば、特許文献１にはタラロマイセス属菌を農薬活性成分とする病害防除剤が、特許文献２にはボーベリア属菌、メタリジウム属菌、ペキロマイセス属菌、アスペルギルス属菌、ペニシリウム属菌、トリコデルマ属菌を農薬活性成分とする害虫防除剤又は病害防除剤が、特許文献３にはバーティシリウム属菌を農薬活性成分とする病害防除剤が、特許文献４にはドレクスレラ属菌を農薬活性成分とする雑草防除剤がそれぞれ開示されている。【０００５】
しかし、これら製剤は対象植物や防除病害虫等によっては効果が充分でないものも多く認められ、更なる改良の余地があると言える。また、微生物農薬製剤組成物の形状や大きさなどとその防除活性等との関係性・相関性を検討した文献等は現状では見出せない。
なお、本発明においては、保存が予定された工業製品としての単一包装の農薬製剤である農薬組成物を「農薬製剤組成物」と規定する。【０００６】
このような背景技術の中、当業界では、その防除作用や植物成長調整作用が幅広い対象に効果を発揮する微生物農薬製剤組成物の開発、その防除活性や植物成長調整作用がより向上する製剤技術の開発などが引き続き望まれていた。
【先行技術文献】
【特許文献】
【０００７】
【特許文献１】特開２００７−３１２９４号公報
【特許文献２】特開平７−４８２１６号公報
【特許文献３】特開２００６−１６９１１５号公報
【特許文献４】特開平６−２７７０４２号公報
【発明の概要】
【発明が解決しようとする課題】
【０００８】
本発明は、病害虫や雑草に対する防除作用、植物の成長調整作用等がより向上した微生物農薬製剤組成物、その製造方法及びその使用による病害虫や雑草等の防除方法、植物成長調整方法等を提供することを目的とする。
【課題を解決するための手段】
【０００９】
上記目的を達成するため、本発明者らは鋭意研究を行った結果、穀物の種子及び／又はその精白物を固体培地としたトリコデルマ属菌固体培養物の粉砕物を含有してなる農薬製剤組成物が上記課題を解決しうることを見出し、本発明を完成させるに至った。【００１０】
すなわち、本発明の実施形態は次のとおりである。
（１）穀物の種子及び／又はその精白物を固体培地としたトリコデルマ（Ｔｒｉｃｈｏｄｅｒｍａ）属菌固体培養物の粉砕物を含有してなる農薬製剤組成物。
（２）トリコデルマ属菌が、アスペレロイデス（ａｓｐｅｒｅｌｌｏｉｄｅｓ）種菌、アスペレラム（ａｓｐｅｒｅｌｌｕｍ）種菌、アトロビリデ（ａｔｒｏｖｉｒｉｄｅ）種菌、ハマタム（ｈａｍａｔｕｍ）種菌、ハルジアナム（ｈａｒｚｉａｎｕｍ）種菌、コニンギ（ｋｏｎｉｎｇｉｉ）種菌のいずれかである（１）に記載の農薬製剤組成物。
（３）トリコデルマ属菌が、アスペレロイデス種菌である（２）に記載の農薬製剤組成物。
（４）アスペレロイデス種菌が、トリコデルマ・アスペレロイデス  ＳＫＴ−１株（ＦＥＲＭ  ＢＰ−１６５１０）である（３）に記載の農薬製剤組成物。
（５）農薬製剤組成物中１ｇ中にトリコデルマ属菌が１０〜１０１０ＣＦＵ（Ｃｏｌｏｎｙ  Ｆｏｒｍｉｎｇ  Ｕｎｉｔ）含まれることを特徴とする（１）〜（４）のいずれか１つに記載の農薬製剤組成物。
（６）固体培地が、穀物の種子の精白物（当該精白物のみ）である（１）〜（５）のいずれか１つに記載の農薬製剤組成物。
（７）穀物が、イネ科穀物である（１）〜（６）のいずれか１つに記載の農薬製剤組成物。
（８）イネ科穀物が、大麦である（７）に記載の農薬製剤組成物。
（９）粒状農薬製剤組成物であることを特徴とする（１）〜（８）のいずれか１つに記載の農薬製剤組成物。
（１０）粒状農薬製剤組成物が、粒径２ｍｍ未満の粒子を４０質量％以上、好ましくは５０質量％以上、更に好ましくは６５質量％以上含有してなる（９）に記載の農薬製剤組成物。
（１１）粒状農薬製剤組成物が、粒径１００μｍ以上２ｍｍ（２０００μｍ）未満の粒子を４０質量％以上、好ましくは５０質量％以上、更に好ましくは６５質量％以上含有してなる（１０）に記載の農薬製剤組成物。
（１２）トリコデルマ属菌を、穀物の種子及び／又はその精白物を固体培地として用いて固体培養し、培養したトリコデルマ属菌が固体培地に付着するトリコデルマ属菌固体培養物を得た後、該培養物を粉砕機で１秒以上、好ましくは１〜２０秒粉砕すること（更に必要に応じて整粒すること）を特徴とする農薬製剤組成物の製造方法。
（１３）トリコデルマ属菌固体培養物を粒状に粉砕し、粒状農薬製剤組成物とすることを特徴とする（１２）に記載の方法。
（１４）粒状農薬製剤組成物中に、粒径２ｍｍ未満の粒子を４０質量％以上、好ましくは５０質量％以上、更に好ましくは６５質量％以上含有させることを特徴とする（１３）に記載の方法。
（１５）粒状農薬製剤組成物中に、粒径１００μｍ以上２ｍｍ（２０００μｍ）未満の粒子を４０質量％以上、好ましくは５０質量％以上、更に好ましくは６５質量％以上含有させることを特徴とする（１４）に記載の方法。
（１６）（１）〜（１１）のいずれか１つに記載の農薬製剤組成物を、植物の苗、苗木又は種子に施用し、該植物を栽培することを特徴とする、雑草、病害、害虫から選ばれる１以上の防除及び／又は植物成長調整方法。
（１７）（１）〜（１１）のいずれか１つに記載の農薬製剤組成物を、植物を栽培する土壌に施用することを特徴とする、雑草、病害、害虫から選ばれる１以上の防除及び／又は植物成長調整方法。
（１８）土壌１ｍ２あたり農薬製剤組成物を５〜１０００ｇ施用することを特徴とする（１７）に記載の方法。
【発明の効果】
【００１１】
本発明によれば、病害虫や雑草に対する防除作用、植物の成長調整作用等がより向上した微生物農薬製剤組成物、その製造方法、及びその使用による病害虫、雑草等の防除方法、植物成長調整方法などを提供することができる。
【発明を実施するための形態】
【００１２】
本発明の農薬製剤組成物は、トリコデルマ属菌を固体培養したもの（トリコデルマ属菌固体培養物、つまり、培養したトリコデルマ属菌の菌体（菌糸や胞子も含まれる）と穀物の種子及び／又はその精白物を用いた固体培地の混合物）の粉砕物を含有することを特徴とする。
【００１３】
本発明に用いるトリコデルマ属菌は、病害虫や雑草などの有害生物を防除すること、土壌を耕作等に適するように改良すること、植物自体の成長を促進あるいは抑制することなどによって農業生産性を向上させるトリコデルマ属菌であれば任意に使用でき、農薬登録を有しているものや農薬としての効果が明示されたものに限定されるものではない。その例としては、これらに限定されるものではないが、アスペレロイデス（ａｓｐｅｒｅｌｌｏｉｄｅｓ）種菌、アスペレラム（ａｓｐｅｒｅｌｌｕｍ）種菌、アトロビリデ（ａｔｒｏｖｉｒｉｄｅ）種菌、ハマタム（ｈａｍａｔｕｍ）種菌、ハルジアナム（ｈａｒｚｉａｎｕｍ）種菌、コニンギ（ｋｏｎｉｎｇｉｉ）種菌などが挙げられ、特にアスペレロイデス種菌が好ましく、アスペレロイデス種菌の中でも、通商産業省工業技術院生命工学工業技術研究所特許微生物寄託センター（現独立行政法人製品評価技術基盤機構特許生物寄託センター）に１９９７年（平成９年）１１月１０日付で従前の名称であるトリコデルマ・アトロビリデ  ＳＫＴ−１株として寄託された後、２０１７年（平成２９年）２月１３日付けで国際寄託に移管されたトリコデルマ・アスペレロイデス  ＳＫＴ−１株（ＦＥＲＭ  ＢＰ−１６５１０）が格別好ましい。
【００１４】
本発明の農薬製剤組成物中におけるトリコデルマ属菌の菌数（生菌及び／又は胞子数）は特定されないが、農薬製剤組成物１ｇあたり通常１０〜１０１０ＣＦＵ（Ｃｏｌｏｎｙ  Ｆｏｒｍｉｎｇ  Ｕｎｉｔ：コロニー形成単位）程度、好ましくは１０３〜１０９ＣＦＵ程度、更に好ましくは１０５〜１０８ＣＦＵ程度である。農薬製剤組成物中の糸状菌数は、希釈平板法により測定することができる。希釈平板法に用いる培地としては、例えば普通寒天培地、標準寒天培地、バレイショブドウ糖寒天培地、オートミール寒天培地、麦芽エキス寒天培地、バレイショニンジン寒天培地、海水デンプン寒天培地、ツァペック・ドックス寒天培地、ツァペック酵母エキス寒天培地、ＭＹ２０寒天培地、サブロー・ブドウ糖寒天培地、ルリア・ベルターニ寒天培地などの公知の培地を挙げることができるが、これらの例示に限定されず、取り扱うトリコデルマ属菌の栄養要求性に合致する培地を使用すればよい。また、希釈平板法においては、測定対象に対する培地の最適化を目的として、培地成分の追加や削除、量の加減などの改変がしばしば行なわれるが、いずれも当業者の見識に基づいて任意に行ってよい。その他、培養温度や培養期間などの条件も、取り扱うトリコデルマ属菌の至適温度やコロニー形成速度に基づいて任意に設定することができる。
【００１５】
また、本発明の農薬製剤組成物においては、トリコデルマ属菌固体培養物の固体培地に穀物の種子及び／又はその精白物を用いる。本発明において「穀物」とは広義の意味で用いられ、その例としては、米（ｒｉｃｅ）、トウモロコシ（ｍａｉｚｅ）、大麦（ｂａｒｌｅｙ）、小麦（ｗｈｅａｔ）、ライ麦（ｒｙｅ）、オーツ麦（ｏａｔ）、カラス麦（ｗｉｌｄ  ｏａｔ）、ハト麦（ａｄｌａｙ）、キビ（ｐｒｏｓｏ  ｍｉｌｌｅｔ）、アワ（ｆｏｘｔａｉｌ  ｍｉｌｌｅｔ）、ヒエ（ｍｉｌｌｅｔ）、モロコシ（ｓｏｒｇｈｕｍ）、シコクビエ（ｆｉｎｇｅｒ  ｍｉｌｌｅｔ）、トウジンビエ（ｐｅａｒｌ  ｍｉｌｌｅｔ）、テフ（ｔｅｆｆ）、フォニオ（ｆｏｎｉｏ）、コドラ（ｋｏｄｏ  ｍｉｌｌｅｔ）、マコモ（ｍａｎｃｈｕｒｉａｎ  ｗｉｌｄ  ｒｉｃｅ）などのイネ科穀物の他、大豆（ｓｏｙｂｅａｎ）、小豆（ａｚｕｋｉ  ｂｅａｎ）、緑豆（ｍｕｎｇ  ｂｅａｎ）、ササゲ（ｃｏｗｐｅａ）、インゲン豆（ｃｏｍｍｏｎ  ｂｅａｎ）、ライ豆（ｌｉｍａ  ｂｅａｎ）、落花生（ｐｅａｎｕｔ）、エンドウ（ｐｅａ）、ソラ豆（ｂｒｏａｄ  ｂｅａｎ）、扁豆（ｌｅｎｔｉｌ）、ヒヨコ豆（ｃｈｉｃｋｐｅａ）、紅花インゲン（ｒｕｎｎｅｒ  ｂｅａｎ）、ケツル小豆（ｂｌａｃｋ  ｇｒａｍ）、マット豆（ｍｏｔｈ  ｂｅａｎ）、テパリー豆（ｔｅｐａｒｙ  ｂｅａｎ）、竹小豆（ｒｉｃｅｂｅａｎ）、藤豆（ｈｙａｃｉｎｔｈ  ｂｅａｎ）、ホースグラム（ｈｏｒｓｅ  ｇｒａｍ）、バンバラ豆（ｂａｍｂａｒａ  ｇｒｏｕｎｄｎｕｔ）、ゼオカルパ豆（ｇｅｏｃａｒｐａ  ｇｒｏｕｎｄｎｕｔ）、樹豆（ｐｉｇｅｏｎ  ｐｅａ）、ナタ豆（ｓｗｏｒｄ  ｂｅａｎ）、立ナタ豆（ｊａｃｋ  ｂｅａｎ）、ガラス豆（ｇｒａｓｓ  ｐｅａ）、クラスタ豆（ｃｌｕｓｔｅｒ  ｂｅａｎ）、四角豆（ｗｉｎｇｅｄ  ｂｅａｎ）、ハッショウ豆（ｃｏｗｈａｇｅ）、イナゴ豆（ｃａｒｏｂ）、ハウチワ豆（ｌｕｐｉｎｅ）、タマリンド（ｔａｍａｒｉｎｄ）などのマメ科穀物、更には蕎麦（ｂｕｃｋｗｈｅａｔ）、ダッタン蕎麦（ｔａｒｔａｒｙ  ｂｕｃｋｗｈｅａｔ）などのタデ科植物やヒユ科植物、アカザ科植物などの疑似穀類の穀物を挙げることができる。澱粉質を主体とする食用種子であればいずれも使用可能であり、本発明は上記例示の穀物に限定されないが、中でもイネ科あるいはマメ科穀物が好ましく、イネ科あるいはマメ科穀物の中でも大麦、小麦、米、大豆のいずれか１以上が特に好ましい。
【００１６】
前記穀物の種子（例えば玄米や玄麦などのような外殻等を脱ぷしたものも包含される）はそのまま用いてもよいが、その精白物、これらの２以上の混合物を使用してもよい。種子の精白物には、実質的に種子の胚乳のみからなるものと、前記胚乳に若干の胚芽が付随してなるものがあり、いずれも本発明に使用可能であるが、本発明では実質的に種子の胚乳のみからなるものを用いるのが特に好ましい。なお、種子を脱ぷした際にでる外皮（籾殻など）自体や、穀物の種子を精白した際にでるふすま（種皮、胚芽）自体は、それらのみでは本発明の固体培地には用いない。
【００１７】
このような穀物の種子や種子精白物は、固体培地としてそのまま使用できるものであり、本発明においては、穀物の種子及び／又はその精白物を固体培地に用いてトリコデルマ属菌を培養し、得られたトリコデルマ属菌固体培養物の粉砕物（あるいは粉砕・整粒物）を農薬製剤組成物の有効成分として用いる。
【００１８】
本発明におけるトリコデルマ属菌の培養方法については、菌の種類、菌株などによって任意に設定することができる。そして、培養における固体培地（固体培地の担体）として、前記穀物の種子及び／又はその精白物を使用する。増殖効率の向上を目的として、炭素源、窒素源、無機塩類などを添加してもよい。培養温度、培養時間も任意に設定することができるが、例えば、１０〜４０℃で２〜３０日間培養する条件が示される。また、得られた培養物は、適宜乾燥させてもよい。
【００１９】
このようにして得られたトリコデルマ属菌固体培養物は、粉砕機等（例えば出力１００Ｗ以上の微粉砕機など）を用いた物理的な方法で１秒以上、好ましくは１〜２０秒程度粉砕を行えばよく、粉砕方法に特段の限定はない。そして、粉砕後に整粒機等により整粒を行うのが好ましく、特に、粉砕後の組成物中に粒径２ｍｍ未満、好ましくは粒径１００μｍ以上２ｍｍ未満の粒を４０質量％以上、好ましくは５０質量％以上、更に好ましくは６５質量％以上含有させるのが好適である。
【００２０】
穀物の種子及びその精白物は通常粒状物であるため、これをそのままトリコデルマ属菌培養の固体培地として用いることができるが、本発明の農薬製剤組成物は、このような固体培地を用いたトリコデルマ属菌固体培養物を更に粉砕することが必要であり、特に粒径２ｍｍ未満の粒が４０質量％以上含まれる粒状農薬製剤組成物とするのが好ましい。なお、前記穀物の種子及び／又はその精白物の中で、穀物の種子の精白物のみを用いるのが特に好ましい。
【００２１】
本発明の農薬製剤組成物の製造方法の例としては、トリコデルマ属菌を、穀物の種子及び／又はその精白物を培地に用いて固体培養し、培養したトリコデルマ属菌が固体培地に付着するトリコデルマ属菌固体培養物を得た後、該培養物を粉砕する（更に必要に応じて整粒する）製造方法を示すことができる。
【００２２】
本発明の農薬製剤組成物の施用方法については、適用植物の種類、病害虫の種類、施用場所、施用時期、剤型などによって適宜選択することができる。
【００２３】
本発明の農薬製剤組成物はそのまま直接施用するか、あるいは水又は担体などで希釈して施用することができる。施用方法は、植物茎葉への散布、植物株元への散布、土壌表層への散布、土壌混和、土壌灌注、水面施用、種子粉衣、塗布、浸漬する方法などが挙げられるが、これらの方法に限定されるものではない。さらに、本発明の農薬製剤組成物は必要に応じて他の殺菌剤、殺虫剤、殺線虫剤、除草剤、植物生長調節剤、肥料、土壌改良資材などと混合施用、交互施用、又は同時施用することも可能であり、この場合に一層優れた効果を示すこともある。
【００２４】
本発明の農薬製剤組成物の施用場所は、農園芸用植物を栽培する苗床、畑地、水田、果樹園、養液栽培施設などに施用することができるが、これらに限定されるものではない。
【００２５】
本発明の農薬製剤組成物の施用時期は、作付け期間中に限定されず、本圃の場合は作付け前、作付け時、作付け後、育苗期の場合は播種前、播種同時、播種後のいずれの時期でも施用できる。
【００２６】
本発明の農薬製剤組成物の施用量は、適用植物の種類、病害虫や雑草の種類、土壌の状態、施用時期、栽植密度、剤型などによって異なるため、一概に規定できないが、例えば育苗期の場合には土壌１ｍ２当たり１００〜１０００ｇ程度、本圃の場合には土壌１ｍ２当たり５〜１０００ｇ程度でそれぞれ使用することができる。また、種子（種いも、塊茎、鱗茎、球根などを含む）への粉衣の場合には、粉砕物を直接又は水などで希釈して、種子１ｋｇ当たり１〜１００ｇ程度で使用することができる。
【００２７】
本発明の農薬製剤組成物の施用対象となる植物として、具体的には、穀類（例えば、イネ、コムギ、オオムギ、ライムギ、エンバク、トウモロコシ、モロコシ、アワ、キビ、ヒエ、トウジンビエ、シコクビエ、ソバ）、イモ類（例えば、ジャガイモ、サツマイモ、サトイモ、ヤマノイモ、コンニャク）、マメ類（例えば、ダイズ、アズキ、インゲンマメ、エンドウ、ソラマメ、ラッカセイ、ササゲ、ヒヨコマメ、キマメ）、野菜類（例えば、ナス、トマト、ピーマン、トウガラシ、キュウリ、メロン、スイカ、カボチャ、ズッキーニ、シロウリ、ユウガオ、トウガン、ニガウリ、キャベツ、ハクサイ、ブロッコリー、カリフラワー、ダイコン、カブ、チンゲンサイ、コマツナ、ミズナ、ネギ、タマネギ、ニラ、ニンニク、ラッキョウ、アスパラガス、レタス、ゴボウ、シュンギク、フキ、ニンジン、ミツバ、セルリー、パセリ、イチゴ、ホウレンソウ、オクラ、シソ、バジル、ミント、ショウガ、ミョウガ）、果樹類（例えば、リンゴ、ナシ、セイヨウナシ、マルメロ、カリン、オウトウ、モモ、スモモ、ウメ、アンズ、クリ、クルミ、アーモンド、ペカン、ブドウ、キウイフルーツ、アケビ、カキ、イチジク、ザクロ、ラズベリー、ブラックベリー、ブルーベリー、クランベリー、カンキツ、ビワ、オリーブ、ヤマモモ、マンゴー、グアバ、アボカド、ナツメヤシ、ココヤシ、バナナ、パイナップル、パパイア、パッションフルーツ、アセロラ）、特用作物（例えば、ワタ、アマ、イグサ、ナタネ、ヒマワリ、ゴマ、アブラヤシ、テンサイ、サトウキビ、チャ、コーヒー、カカオ、ホップ、タバコ）、花卉類（例えば、コスモス、アサガオ、マリーゴールド、ホウセンカ、カスミソウ、スイートピー、キク、カーネーション、チューリップ、ユリ、スイセン、グラジオラス、シクラメン、ベゴニア、スイレン、ダリア、バラ、シンビジウム、カトレア）、芝草（例えば、コウライシバ、ヒメコウライシバ、ノシバ、バミューダグラス、ベントグラス、フェスク、ライグラス、ブルーグラス）、樹木類（例えば、サクラ、ツツジ、カシ、ケヤキ、スギ、ブナ）などを挙げることができるが、これらの例に限定されるものではない。また、古典的な育種法、遺伝子組換え技術などで病害虫に対する耐性、除草剤に対する耐性、乾燥など環境ストレスへの耐性を付与した植物にも施用することができる。
【００２８】
本発明の農薬製剤組成物は有害生物防除活性に優れており、殺菌剤、殺線虫剤、殺虫剤、除草剤、植物成長調整剤又は土壌改良剤として有用である。殺菌剤、殺線虫剤、殺虫剤としての効果は、病原菌、線虫、害虫に対して直接的に防除効果を示すものに限定されず、例えば、媒介者である糸状菌、線虫、昆虫などを防除することによるウイルス病防除、トリコデルマ属菌が土壌中で優占することにより有害生物の増殖を抑制する間接的な防除も含まれる。
【００２９】
本発明の農薬製剤組成物により防除することのできる病原菌として、例えば糸状菌、放線菌、細菌、ウイルス、ウイロイドなどを挙げることができる。具体的には、ウスティラゴ（Ｕｓｔｉｌａｇｏ）属菌、例えばオオムギ裸黒穂病菌（Ｕｓｔｉｌａｇｏ  ｎｕｄａ）、ティレティア（Ｔｉｌｌｅｔｉａ）属菌、例えばコムギなまぐさ黒穂病菌（Ｔｉｌｌｅｔｉａ  ｃａｒｉｅｓ）、プクシニア（Ｐｕｃｃｉｎｉａ）属菌、例えばコムギ赤さび病菌（Ｐｕｃｃｉｎｉａ  ｒｅｃｏｎｄｉｔａ）、ジムノスポランジウム（Ｇｙｍｎｏｓｐｏｒａｎｇｉｕｍ）属菌、例えばナシ赤星病菌（Ｇｙｍｎｏｓｐｏｒａｎｇｉｕｍ  ａｓｉａｔｉｃｕｍ）、ファコスポラ（Ｐｈａｋｏｐｓｏｒａ）属菌、例えばダイズさび病菌（Ｐｈａｋｏｐｓｏｒａ  ｐａｃｈｙｒｈｉｚｉ）、ヘリコバシディウム（Ｈｅｌｉｃｏｂａｓｉｄｉｕｍ）属菌、例えばアスパラガス紫紋羽病菌（Ｈｅｌｉｃｏｂａｓｉｄｉｕｍ  ｍｏｍｐａ）、エキソバシディウム（Ｅｘｏｂａｓｉｄｉｕｍ）属菌、例えばチャもち病菌（Ｅｘｏｂａｓｉｄｉｕｍ  ｖｅｘａｎｓ）、リゾクトニア（Ｒｈｉｚｏｃｔｏｎｉａ）属菌、例えばキュウリ苗立枯病菌（Ｒｈｉｚｏｃｔｏｎｉａ  ｓｏｌａｎｉ）、スクレロティウム（Ｓｃｌｅｒｏｔｉｕｍ）属菌、例えばキュウリ及びダイズ白絹病菌（Ｓｃｌｅｒｏｔｉｕｍ  ｒｏｌｆｓｉｉ）、ホモプシス（Ｐｈｏｍｏｐｓｉｓ）属菌、例えばキュウリホモプシス根腐病菌（Ｐｈｏｍｏｐｓｉｓ  ｓｃｌｅｒｏｔｉｏｉｄｅｓ）、ピレノケータ（Ｐｙｒｅｎｏｃｈａｅｔａ）属菌、例えばトマト褐色根腐病菌（Ｐｙｒｅｎｏｃｈａｅｔａ  ｌｙｃｏｐｅｒｓｉｃｉ）、セプトリア（Ｓｅｐｔｏｒｉａ）属菌、例えばキク黒斑病菌（Ｓｅｐｔｏｒｉａ  ｃｈｒｙｓａｎｔｈｅｍｅｌｌａ）、コレトトリカム（Ｃｏｌｌｅｔｏｔｒｉｃｈｕｍ）属菌、例えばイチゴ炭そ病菌（Ｃｏｌｌｅｔｏｔｒｉｃｈｕｍ  ｇｌｏｅｏｓｐｏｒｉｏｉｄｅｓ）、ペスタロティオプシス（Ｐｅｓｔａｌｏｔｉｏｐｓｉｓ）属菌、例えばチャ輪斑病菌（Ｐｅｓｔａｌｏｔｉｏｐｓｉｓ  ｌｏｎｇｉｓｅｔａ）、アルタナリア（Ａｌｔｅｒｎａｒｉａ）属菌、例えばジャガイモ夏疫病（Ａｌｔｅｒｎａｒｉａ  ｓｏｌａｎｉ）、ボトリティス（Ｂｏｔｒｙｔｉｓ）属菌、例えばキュウリ灰色かび病菌（Ｂｏｔｒｙｔｉｓ  ｃｉｎｅｒｅａ）、サーコスポラ（Ｃｅｒｃｏｓｐｏｒａ）属菌、例えばテンサイ褐斑病菌（Ｃｅｒｃｏｓｐｏｒａ  ｂｅｔｉｃｏｌａ）、シュードサーコスポラ（Ｐｓｅｕｄｏｃｅｒｃｏｓｐｏｒａ）属菌、例えばブドウ褐斑病菌（Ｐｓｅｕｄｏｃｅｒｃｏｓｐｏｒａ  ｖｉｔｉｓ）、パラサーコスポラ（Ｐａｒａｃｅｒｃｏｓｐｏｒａ）属菌、例えばナス褐色円星病（Ｐａｒａｃｅｒｃｏｓｐｏｒａ  ｅｇｅｎｕｌａ）、サーコスポレラ（Ｃｅｒｃｏｓｐｏｒｅｌｌａ）属菌、例えばハクサイ白斑病菌（Ｃｅｒｃｏｓｐｏｒｅｌｌａ  ｂｒａｓｓｉｃａｅ）、シュードサーコスポレラ（Ｐｓｅｕｄｏｃｅｒｃｏｓｐｏｒｅｌｌａ）属菌、例えばコムギ眼紋病菌（Ｐｓｅｕｄｏｃｅｒｃｏｓｐｏｒｅｌｌａ  ｈｅｒｐｏｔｒｉｃｈｏｉｄｅｓ）、コリネスポラ（Ｃｏｒｙｎｅｓｐｏｒａ）属菌、例えばキュウリ褐斑病菌（Ｃｏｒｙｎｅｓｐｏｒａ  ｃａｓｓｉｉ���ｏｌａ）、マイコベロルシエラ（Ｍｙｃｏｖｅｌｌｏｓｉｅｌｌａ）属菌、例えばナスすすかび病菌（Ｍｙｃｏｖｅｌｌｏｓｉｅｌｌａ  ｎａｔｔｒａｓｓｉ）、パッサローラ（Ｐａｓｓａｌｏｒａ）属菌、例えばトマト葉かび病菌（Ｐａｓｓａｌｏｒａ  ｆｕｌｖａ）、カーブラリア（Ｃｕｒｖｕｌａｒｉａ）属菌、例えばイネ褐色米（Ｃｕｒｖｕｌａｒｉａ  ｓｐｐ．）、フザリウム（Ｆｕｓａｒｉｕｍ）属菌、例えばトマト萎凋病菌（Ｆｕｓａｒｉｕｍ  ｏｘｙｓｐｏｒｕｍ  ｆ．ｓｐ．ｌｙｃｏｐｅｒｓｉｃｉ）、ペニシリウム（Ｐｅｎｉｃｉｌｌｉｕｍ）属菌、例えばカンキツ緑かび病（Ｐｅｎｉｃｉｌｌｉｕｍ  ｄｉｇｉｔａｔｕｍ）、ピリキュラリア（Ｐｙｒｉｃｕｌａｒｉａ）属菌、例えばイネいもち病菌（Ｐｙｒｉｃｕｌａｒｉａ  ｏｒｙｚａｅ）、バーティシリウム（Ｖｅｒｔｉｃｉｌｌｉｕｍ）属菌、例えばナス半身萎凋病菌（Ｖｅｒｔｉｃｉｌｌｉｕｍ  ｄａｈｌｉａｅ）、タフリナ（Ｔａｐｈｒｉｎａ）属菌、モモ縮葉病菌（Ｔａｐｈｒｉｎａ  ｄｅｆｏｒｍａｎｓ）、ブルメリア（Ｂｌｕｍｅｒｉａ）属菌、例えばコムギうどんこ病菌（Ｂｌｕｍｅｒｉａ  ｇｒａｍｉｎｉｓ  ｆ．ｓｐ．  ｔｒｉｔｉｃｉ）、エリシフェ（Ｅｒｙｓｉｐｈｅ）属菌、例えばブドウうどんこ病菌（Ｅｒｙｓｉｐｈｅ  ｎｅｃａｔｏｒ）、スファエロセカ（Ｓｐｈａｅｒｏｔｈｅｃａ）属菌、例えばイチゴうどんこ病菌（Ｓｐｈａｅｒｏｔｈｅｃａ  ａｐｈａｎｉｓ）、ポドスファエラ（Ｐｏｄｏｓｐｈａｅｒａ）属菌、キュウリうどんこ病菌（Ｐｏｄｏｓｐｈａｅｒａ  ｘａｎｔｈｉｉ）、レベイルラ（Ｌｅｖｅｉｌｌｕｌａ）属菌、例えばトマトうどんこ病菌（Ｌｅｖｅｉｌｌｕｌａ  ｔａｕｒｉｃａ）、カロネクトリア（Ｃａｌｏｎｅｃｔｒｉａ）属菌、例えばダイズ黒根腐病菌（Ｃａｌｏｎｅｃｔｒｉａ  ｉｌｉｃｉｃｏｌａ）、ディアポルテ（Ｄｉａｐｏｒｔｈｅ）属菌、例えばカンキツ黒点病菌（Ｄｉａｐｏｒｔｈｅ  ｃｉｔｒｉ）、ゴウマノマイセス（Ｇａｅｕｍａｎｎｏｍｙｃｅｓ）属菌、例えばコムギ立枯病菌（Ｇａｅｕｍａｎｎｏｍｙｃｅｓ  ｇｒａｍｉｎｉｓ）、ロゼリニア（Ｒｏｓｅｌｌｉｎｉａ）属菌、例えばナシ白紋羽病菌（Ｒｏｓｅｌｌｉｎｉａ  ｎｅｃａｔｒｉｘ）、モノスポラスカス（Ｍｏｎｏｓｐｏｒａｓｃｕｓ）属菌、例えばメロン黒点根腐病菌（Ｍｏｎｏｓｐｏｒａｓｃｕｓ  ｃａｎｎｏｎｂａｌｌｕｓ）、エルシノエ（Ｅｌｓｉｎｏｅ）属菌、例えばカンキツそうか病菌（Ｅｌｓｉｎｏｅ  ｆａｗｃｅｔｔｉｉ）、クリフォネクトリア（Ｃｒｙｐｈｏｎｅｃｔｒｉａ）属菌、例えばクリ胴枯病菌（Ｃｒｙｐｈｏｎｅｃｔｒｉａ  ｐａｒａｓｉｔｉｃａ）、ボトリオスファエリア（Ｂｏｔｒｙｏｓｐｈａｅｒｉａ）属菌、例えばナシ輪紋病菌（Ｂｏｔｒｙｏｓｐｈａｅｒｉａ  ｂｅｒｅｎｇｅｒｉａｎａ）、ベンチュリア（Ｖｅｎｔｕｒｉａ）属菌、例えばリンゴ黒星病菌（Ｖｅｎｔｕｒｉａ  ｎａｓｈｉｃｏｌａ）、コクリオボラス（Ｃｏｃｈｌｉｏｂｏｌｕｓ）属菌、例えばイネごま葉枯病菌（Ｃｏｃｈｌｉｏｂｏｌｕｓ  ｍｉｙａｂｅａｎｕｓ）、ディディメラ（Ｄｉｄｙｍｅｌｌａ）属菌、例えばキュウリつる枯病菌（Ｄｉｄｙｍｅｌｌａ  ｂｒｙｏｎｉａｅ）、スクレロティニア（Ｓｃ���ｅｒｏｔｉｎｉａ）属菌、例えばキャベツ菌核病菌（Ｓｃｌｅｒｏｔｉｎｉａ  ｓｃｌｅｒｏｔｉｏｒｕｍ）、モニリア（Ｍｏｎｉｌｉｎｉａ）属菌、例えばモモ灰星病（Ｍｏｎｉｌｉｎｉａ  ｆｒｕｃｔｉｃｏｌａ）、リゾープス（Ｒｈｉｚｏｐｕｓ）属菌、例えばイネ苗立枯病菌（Ｒｈｉｚｏｐｕｓ  ｓｐｐ．）、ファイトフトラ（Ｐｈｙｔｏｐｈｔｈｏｒａ）属菌、例えばダイズ茎疫病菌（Ｐｈｙｔｏｐｈｔｈｏｒａ  ｓｏｊａｅ）、ピシウム（Ｐｙｔｈｉｕｍ）属菌、例えばキュウリ苗立枯病菌（Ｐｙｔｈｉｕｍ  ｓｐｐ．）、アルブゴ（Ａｌｂｕｇｏ）属菌、例えばハクサイ白さび病菌（Ａｌｂｕｇｏ  ｍａｃｒｏｓｐｏｒａ）、ペロノスポラ（Ｐｅｒｏｎｏｓｐｏｒａ）属菌、例えばネギべと病菌（Ｐｅｒｏｎｏｓｐｏｒａ  ｄｅｓｔｒｕｃｔｏｒ）、ブレミア（Ｂｒｅｍｉａ）属菌、例えばレタスべと病菌（Ｂｒｅｍｉａ  ｌａｃｔｕｃａｅ）、シュードペロノスポラ（Ｐｓｅｕｄｏｐｅｒｏｎｏｓｐｏｒａ）属菌、例えばキュウリべと病菌（Ｐｓｅｕｄｏｐｅｒｏｎｏｓｐｏｒａ  ｃｕｂｅｎｓｉｓ）、プラズモパラ（Ｐｌａｓｍｏｐａｒａ）属菌、例えばブドウべと病菌（Ｐｌａｓｍｏｐａｒａ  ｖｉｔｉｃｏｌａ）、アファノマイセス（Ａｐｈａｎｏｍｙｃｅｓ）属菌、例えばテンサイ苗立枯病菌（Ａｐｈａｎｏｍｙｃｅｓ  ｃｏｃｈｌｉｏｉｄｅｓ）、プラスモジオフォラ（Ｐｌａｓｍｏｄｉｏｐｈｏｒａ）属菌、例えばハクサイ根こぶ病菌（Ｐｌａｓｍｏｄｉｏｐｈｏｒａ  ｂｒａｓｓｉｃａｅ）、スポンゴスポラ（Ｓｐｏｎｇｏｓｐｏｒａ）属菌、例えばジャガイモ粉状そうか病菌（Ｓｐｏｎｇｏｓｐｏｒａ  ｓｕｂｔｅｒｒａｎｅａ）、ストレプトマイセス（Ｓｔｒｅｐｔｏｍｙｃｅｓ）属菌、例えばジャガイモそうか病（Ｓｔｒｅｐｔｏｍｙｃｅｓ  ｓｐｐ．）、クラビバクター（Ｃｌａｖｉｂａｃｔａｅｒ）属菌、例えばトマトかいよう病菌（Ｃｌａｖｉｂａｃｔａｅｒ  ｍｉｃｈｉｇａｎｅｎｓｉｓ）、ペクトバクテリウム（Ｐｅｃｔｏｂａｃｔｅｒｉｕｍ）属菌、例えばジャガイモ軟腐病菌（Ｐｅｃｔｏｂａｃｔｅｒｉｕｍ  ｃａｒｏｔｏｖｏｒｕｍ）、リゾビウム（Ｒｈｉｚｏｂｉｕｍ）属菌、例えばバラ根頭がんしゅ病菌（Ｒｈｉｚｏｂｉｕｍ  ｒａｄｉｏｂａｃｔｅｒ）、ラルストニア（Ｒａｌｓｔｏｎｉａ）属菌、例えばトマト青枯病菌（Ｒａｌｓｔｏｎｉａ  ｓｏｌａｎａｃｅａｒｕｍ）、バークホルデリア（Ｂｕｒｋｈｏｌｄｅｒｉａ）属菌、例えばイネもみ枯細菌病菌（Ｂｕｒｋｈｏｌｄｅｒｉａ  ｇｌｕｍａｅ）、アシドボラックス（Ａｃｉｄｏｖｏｒａｘ）属菌、例えばイネ褐条病菌（Ａｃｉｄｏｖｏｒａｘ  ａｖｅｎａｅ）、シュードモナス（Ｐｓｅｕｄｏｍｏｎａｓ）属菌、例えばレタス腐敗病菌（Ｐｓｅｕｄｏｍｏｎａｓ  ｓｐｐ．）、キサントモナス（Ｘａｎｔｈｏｍｏｎａｓ）属菌、例えばキャベツ黒腐病菌（Ｘａｎｔｈｏｍｏｎａｓ  ｃａｍｐｅｓｔｒｉｓ）、フロウイルス（Ｆｕｒｏｖｉｒｕｓ）属、例えばムギ類萎縮ウイルス（ＳＢＷＭＶ）、トバモウイルス（Ｔｏｂａｍｏｖｉｒｕｓ）属、例えばトウガラシ微斑ウイルス（ＰＭＭｏＶ）、トブラウイルス（Ｔｏｂｒａｖｉｒｕｓ）属、例えばタバコ茎えそウイルス（ＴＲＶ）、ポテックスウイルス（Ｐｏｔｅｘｖｉｒ��ｓ）属、例えばジャガイモＸウイルス（ＰＶＸ）、カルラウイルス（Ｃａｒｌａｖｉｒｕｓ）属、例えばカーネーション潜在ウイルス（ＣａＬＶ）、クリニウイルス（Ｃｒｉｎｉｖｉｒｕｓ）属、例えばウリ類退緑黄化ウイルス（ＣＣＹＶ）、バイモウイルス（Ｂｙｍｏｖｉｒｕｓ）属、例えばコムギ縞萎縮ウイルス（ＷＹＭＶ）、ポティウイルス（Ｐｏｔｙｖｉｒｕｓ）属、例えばジャガイモＹウイルス（ＰＶＹ）、アルファモウイルス（Ａｌｆａｍｏｖｉｒｕｓ）属、例えばアルファルファモザイクウイルス（ＡＭＶ）、ククモウイルス（Ｃｕｃｕｍｏｖｉｒｕｓ）属、例えばキュウリモザイクウイルス（ＣＭＶ）、コモウイルス（Ｃｏｍｏｖｉｒｕｓ）属、例えばダイコンモザイクウイルス（ＲａＭＶ）、ファバウイルス（Ｆａｂａｖｉｒｕｓ）属、例えばソラマメウイルトウイルス（ＢＢＷＶ）、ネポウイルス（Ｎｅｐｏｖｉｒｕｓ）属、例えばトマト輪点ウイルス（ＴｏｍＲＳＶ）、サドワウイルス（Ｓａｄｗａｖｉｒｕｓ）属、例えば温州萎縮ウイルス（ＳＤＶ）、カルモウイルス（Ｃａｒｍｏｖｉｒｕｓ）属、例えばメロンえそ斑点ウイルス（ＭＮＳＶ）、オフィオウイルス（Ｏｐｈｉｏｖｉｒｕｓ）属、例えばチューリップ微斑モザイクウイルス（ＴＭＭＭＶ）、テヌイウイルス（Ｔｅｎｕｉｖｉｒｕｓ）属、例えばイネ縞葉枯ウイルス（ＲＳＶ）、トスポウイルス（Ｔｏｓｐｏｖｉｒｕｓ）属、例えばトマト黄化えそウイルス（ＴＳＷＶ）、ファイトレオウイルス（Ｐｈｙｔｏｒｅｏｖｉｒｕｓ）属、例えばイネ萎縮ウイルス（ＲＤＶ）、ベゴモウイルス（Ｂｅｇｏｍｏｖｉｒｕｓ）属、例えばトマト黄化葉巻ウイルス（ＴＹＬＣＶ）、カウリモウイルス（Ｃａｕｌｉｍｏｖｉｒｕｓ）属、例えばカリフラワーモザイクウイルス（ＣａＭＶ）、ポスピウイロイド（Ｐｏｓｐｉｖｉｒｏｉｄ）属、例えばキク矮化ウイロイド（ＣＳＶｄ）などを挙げることができるが、本発明はこれらの例に限定されるものではない。
上記病原菌のうち、特に、ヘリコバシディウム属菌、リゾクトニア属菌、スクレロティウム属菌、ホモプシス属菌、ピレノケータ属菌、コレトトリカム属菌、フザリウム属菌、バーティシリウム属菌、カロネクトリア属菌、ゴウマノマイセス属菌、ロゼリニア属菌、モノスポラスカス属菌、ディディメラ属菌、スクレロティニア属菌、リゾープス属菌、ファイトフトラ属菌、アファノマイセス属菌、プラスモジオフォラ属菌、スポンゴスポラ属菌、ストレプトマイセス属菌、クラビバクター属菌、ペクトバクテリウム属菌、リゾビウム属菌、ラルストニア属菌、フロウイルス属、トバモウイルス属、トブラウイルス属、バイモウイルス属、ネポウイルス属、カルモウイルス属、オフィオウイルス属などの土壌伝染性病原菌を本発明により好適に防除できる。
【００３０】
また、本発明の農薬製剤組成物により防除することのできる線虫として、具体的には、アフェレンコイデス（Ａｐｈｅｌｅｎｃｈｏｉｄｅｓ）属、例えばイネシンガレセンチュウ（Ａｐｈｅｌｅｎｃｈｏｉｄｅｓ  ｂｅｓｓｅｙｉ）、ブルサフェレンクス（Ｂｕｒｓａｐｈｅｌｅｎｃｈｕｓ）属、例えばマツノザイセンチュウ（Ｂｕｒｓａｐｈｅｌｅｎｃｈｕｓ  ｘｙｌｏｐｈｉｌｕｓ）、ディティレンクス（Ｄｉｔｙｌｅｎｃｈｕｓ）属、例えばイモグサレセンチュウ（Ｄｉｔｙｌｅｎｃｈｕｓ  ｄｅｓｔｒｕｃｔｏｒ）、グロボデラ（Ｇｌｏｂｏｄｅｒａ）属、例えばジャガイモシストセンチュウ（Ｇｌｏｂｏｄｅｒａ  ｒｏｓｔｏｃｈｉｅｎｓｉｓ）、ヘテロデラ（Ｈｅｔｅｒｏｄｅｒａ）属、例えばダイズシストセンチュウ（Ｈｅｔｅｒｏｄｅｒａ  ｇｌｙｃｉｎｅｓ）、メロイドギネ（Ｍｅｌｏｉｄｏｇｙｎｅ）属、例えばサツマイモネコブセンチュウ（Ｍｅｌｏｉｄｏｇｙｎｅ  ｉｎｃｏｇｎｉｔａ）、プラティレンクス（Ｐｒａｔｙｌｅｎｃｈｕｓ）属、例えばキタネグサレセンチュウ（Ｐｒａｔｙｌｅｎｃｈｕｓ  ｐｅｎｅｔｒａｎｓ）、ラドホルス（Ｒａｄｏｐｈｏｌｕｓ）属、例えばバナナネモグリセンチュウ（Ｒａｄｏｐｈｏｌｕｓ  ｓｉｍｉｌｉｓ）、ティレンクラス（Ｔｙｌｅｎｃｈｕｌｕｓ）属、例えばミカンネセンチュウ（Ｔｙｌｅｎｃｈｕｌｕｓ  ｓｅｍｉｐｅｎｅｔｒａｎｓ）などを挙げることができるが、本発明はこれらの例に限定されるものではない。
【００３１】
また、本発明の農薬製剤組成物により防除することのできる害虫として、具体的には、バッタ目害虫、例えばキリギリス科のクサキリ（Ｒｕｓｐｏｌｉａ  ｌｉｎｅｏｓａ）、コオロギ科のエンマコオロギ（Ｔｅｌｅｏｇｒｙｌｌｕｓ  ｅｍｍａ）、ケラ科のケラ（Ｇｒｙｌｌｏｔａｌｐａ  ｏｒｉｅｎｔａｌｉｓ）、バッタ科のコバネイナゴ（Ｏｘｙａ  ｙｅｚｏｅｎｓｉｓ）、トノサマバッタ（Ｌｏｃｕｓｔａ  ｍｉｇｒａｔｏｒｉａ）、マイグラトリーグラスホッパー（Ｍｅｌａｎｏｐｌｕｓ  ｓａｎｇｕｉｎｉｐｅｓ）、オンブバッタ科のオンブバッタ（Ａｔｒａｃｔｏｍｏｒｐｈａ  ｌａｔａ）、マツムシ科のカヤコオロギ（Ｅｕｓｃｙｒｔｕｓ  ｊａｐｏｎｉｃｕｓ）、ノミバッタ科のノミバッタ（Ｘｙａ  ｊａｐｏｎｉｃｕｓ）、アザミウマ目害虫、例えばアザミウマ科のヒラズハナアザミウマ（Ｆｒａｎｋｌｉｎｉｅｌｌａ  ｉｎｔｏｎｓａ）、ミカンキイロアザミウマ（Ｆｒａｎｋｌｉｎｉｅｌｌａ  ｏｃｃｉｄｅｎｔａｌｉｓ）、チャノキイロアザミウマ（Ｓｃｉｒｔｏｔｈｒｉｐｓ  ｄｏｒｓａｌｉｓ）、ミナミキイロアザミウマ（Ｔｈｒｉｐｓ  ｐａｌｍｉ）、ネギアザミウマ（Ｔｈｒｉｐｓ  ｔａｂａｃｉ）、クダアザミウマ科のカキクダアザミウマ（Ｐｏｎｔｉｃｕｌｏｔｈｒｉｐｓ  ｄｉｏｓｐｙｒｏｓｉ）、イネクダアザミウマ（Ｈａｐｌｏｔｈｒｉｐｓ  ａｃｕｌｅａｔｕｓ）、カメムシ目害虫、例えばセミ科のイワサキクサゼミ（Ｍｏｇａｎｎｉａ  ｍｉｎｕｔａ）、アワフキムシ科のシロオビアワフキ（Ａｐｈｒｏｐｈｏｒａ  ｉｎｔｅｒｍｅｄｉａ）、ツノゼミ科のトビイロツノゼミ（Ｍａｃｈａｅｒｏｔｙｐｕｓ  ｓｉｂｉｒｉｃｕｓ）、ヨコバイ科のフタテンヒメヨコバイ（Ａｒｂｏｒｉｄｉａ  ａｐｉｃａｌｉｓ）、チャノミドリヒメヨコバイ（Ｅｍｐｏａｓｃａ  ｏｎｕｋｉｉ）、ツマグロヨコバイ（Ｎｅｐｈｏｔｅｔｔｉｘ  ｃｉｎｃｔｉｃｅｐｓ）、イナズマヨコバイ（Ｒｅｃｉｌｉａ  ｄｏｒｓａｌｉｓ）、ヒシウンカ科のヒシウンカ（Ｐｅｎｔａｓｔｉｒｉｄｉｕｓ  ａｐｉｃａｌｉｓ）、ウンカ科のヒメトビウンカ（Ｌａｏｄｅｌｐｈａｘ  ｓｔｒｉａｔｅｌｌｕｓ）、トビイロウンカ（Ｎｉｌａｐａｒｖａｔａ  ｌｕｇｅｎｓ）、セジロウンカ（Ｓｏｇａｔｅｌｌａ  ｆｕｒｃｉｆｅｒａ）、シマウンカ科のシマウンカ（Ｎｉｓｉａ  ｎｅｒｖｏｓａ）、ハネナガウンカ科のサトウマダラウンカ（Ｋａｍｅｎｄａｋａ  ｓａｃｃｈａｒｉｖｏｒａ）、コガラシウンカ科のレッドファンガスバック（Ａｃｈｉｌｕｓ  ｆｌａｍｍｅｕｓ）、ハゴロモ科のベッコウハゴロモ（Ｏｒｏｓａｎｇａ  ｊａｐｏｎｉｃｕｓ）、アオバハゴロモ科のトビイロハゴロモ（Ｍｉｍｏｐｈａｎｔｉａ  ｍａｒｉｔｉｍａ）、キジラミ科のナシキジラミ（Ｃａｃｏｐｓｙｌｌａ  ｐｙｒｉｓｕｇａ）、ミカンキジラミ（Ｄｉａｐｈｏｒｉｎａ  ｃｉｔｒｉ）、ヒメキジラミ科のマンゴーキジラミ（Ｃａｌｏｐｈｙａ  ｍａｎｇｉｆｅｒａｅ）、フィロキセラ科のブドウネアブラムシ（Ｄａｋｔｕｌｏｓｐｈａｉｒａ  ｖｉｔｉｆｏｌｉａｅ）、カサアブラムシ科のカラマツカサアブラムシ（Ａｄｅｌｇｅｓ  ｌａｒｉｃｉｓ）、ハリモミヒノカサアブラムシ（Ａｄｅｌｇｅｓ  ｔｓｕｇａｅ）、アブラムシ科のエンド��ヒゲナガアブラムシ（Ａｃｙｒｔｈｏｓｉｐｈｏｎ  ｐｉｓｕｍ）、ワタアブラムシ（Ａｐｈｉｓ  ｇｏｓｓｙｐｉｉ）、ユキヤナギアブラムシ（Ａｐｈｉｓ  ｓｐｉｒａｅｃｏｌａ）、ニセダイコンアブラムシ（Ｌｉｐａｐｈｉｓ  ｅｒｙｓｉｍｉ）、モモアカアブラムシ（Ｍｙｚｕｓ  ｐｅｒｓｉｃａｅ）、ムギミドリアブラムシ（Ｓｃｈｉｚａｐｈｉｓ  ｇｒａｍｉｎｕｍ）、ムギクビレアブラムシ（Ｒｈｏｐａｌｏｓｉｐｈｕｍ  ｐａｄｉ）、コナジラミ科のチャトゲコナジラミ（Ａｌｅｕｒｏｃａｎｔｈｕｓ  ｃａｍｅｌｌｉａｅ）、ミカントゲコナジラミ（Ａｌｅｕｒｏｃａｎｔｈｕｓ  ｓｐｉｎｉｆｅｒｕｓ）、タバココナジラミ（Ｂｅｍｉｓｉａ  ｔａｂａｃｉ）、シルバーリーフコナジラミ（Ｂｅｍｉｓｉａ  ａｒｇｅｎｔｉｆｏｌｉｉ）、オンシツコナジラミ（Ｔｒｉａｌｅｕｒｏｄｅｓ  ｖａｐｏｒａｒｉｏｒｕｍ）、ワタフキカイガラムシ科のオオワラジカイガラムシ（Ｄｒｏｓｉｃｈａ  ｃｏｒｐｕｌｅｎｔａ）、イセリアカイガラムシ（Ｉｃｅｒｙａ  ｐｕｒｃｈａｓｉ）、コナカイガラムシ科のパイナップルコナカイガラムシ（Ｄｙｓｍｉｃｏｃｃｕｓ  ｂｒｅｖｉｐｅｓ）、ミカンコナカイガラムシ（Ｐｌａｎｏｃｏｃｃｕｓ  ｃｉｔｒｉ）、クワコナカイガラムシ（Ｐｓｅｕｄｏｃｏｃｃｕｓ  ｃｏｍｓｔｏｃｋｉ）、カタカイガラムシ科のツノロウムシ（Ｃｅｒｏｐｌａｓｔｅｓ  ｃｅｒｉｆｅｒｕｓ）、カタカイガラモドキ科のカンシャカタカイガラモドキ（Ａｃｌｅｒｄａ  ｔａｋａｈａｓｈｉｉ）、マルカイガラムシ科のアカマルカイガラムシ（Ａｏｎｉｄｉｅｌｌａ  ａｕｒａｎｔｉｉ）、ナシマルカイガラムシ（Ｄｉａｓｐｉｄｉｏｔｕｓ  ｐｅｒｎｉｃｉｏｓｕｓ）、ヤノネカイガラムシ（Ｕｎａｓｐｉｓ  ｙａｎｏｎｅｎｓｉｓ）、カスミカメムシ科のターニッシュドプラントバック（Ｌｙｇｕｓ  ｌｉｎｅｏｌａｒｉｓ）、アカヒゲホソミドリカスミガメ（Ｔｒｉｇｏｎｏｔｙｌｕｓ  ｃａｅｌｅｓｔｉａｌｉｕｍ）、グンバイムシ科のツツジグンバイ（Ｓｔｅｐｈａｎｉｔｉｓ  ｐｙｒｉｏｉｄｅｓ）、ナシグンバイ（Ｓｔｅｐｈａｎｉｔｉｓ  ｎａｓｈｉ）、カメムシ科のトゲシラホシカメムシ（Ｅｙｓａｒｃｏｒｉｓ  ａｅｎｅｕｓ）、イネカメムシ（Ｌａｇｙｎｏｔｏｍｕｓ  ｅｌｏｎｇａｔｕｓ）、ミナミアオカメムシ（Ｎｅｚａｒａ  ｖｉｒｉｄｕｌａ）、チャバネアオカメムシ（Ｐｌａｕｔｉａ  ｃｒｏｓｓｏｔａ）、マルカメムシ科のタイワンマルカメムシ（Ｍｅｇａｃｏｐｔａ  ｃｒｉｂｒａｒｉａ）、ナガカメムシ科のカンシャコバネナガカメムシ（Ｃａｖｅｌｅｒｉｕｓ  ｓａｃｃｈａｒｉｖｏｒｕｓ）、メダカナガカメムシ科のオオメダカナガカメムシ（Ｍａｌｃｕｓ  ｊａｐｏｎｉｃｕｓ）、ホシカメムシ科のアカホシカメムシ（Ｄｙｓｄｅｒｃｕｓ  ｃｉｎｇｕｌａｔｕｓ）、ホソヘリカメムシ科のホソクモヘリカメムシ（Ｌｅｐｔｏｃｏｒｉｓａ  ａｃｕｔａ）、クモヘリカメムシ（Ｌｅｐｔｏｃｏｒｉｓａ  ｃｈｉｎｅｎｓｉｓ）、ヘリカメムシ科のオオクモヘリカメムシ（Ａｎａｃａｎｔｈｏｃｏｒｉｓ  ｓｔｒｉｉｃｏｒｎｉｓ）、ヒメヘリカメムシ科のアカヒメヘリカメムシ（Ｒｈｏｐａｌｕｓ  ｍａｃｕｌａｔｕｓ）、トコジラミ科のトコジラミ（Ｃｉｍｅｘ  ｌｅｃｔｕｌａｒｉｓ）、コウチュウ目害虫、例えばコガネムシ科のドウガネブイブイ（Ａｎｏｍａｒａ  ｃｕｐｒｅａ）、ヒメコガネ（Ａｎｏｍａｒａ  ｒｕｆｏｃｕｐｒｅａ）、マメコガネ（Ｐｏｐｉｌｌｉａ  ｊａｐｏｎｉｃａ）、サイカブトムシ（Ｏｒｙｃｔｅｓ  ｒｈｉｎｏｃｅｒｏｓ）、コメムシ科のトビイロナボソコメツキ（Ａｇｒｉｏｔｅｓ  ｏｇｕｒａｅ）、オキナワカンシャクシコメツキ（Ｍｅｌａｎｏｔｕｓ  ｏｋｉｎａｗｅｎｓｉｓ）、マルクビクシコメツキ（Ｍｅｌａｎｏｔｕｓ  ｆｏｒｔｎｕｍｉ）、カツオブシムシ科のヒメマルカツオブシムシ（Ａｎｔｈｒｅｎｕｓ  ｖｅｒｂａｓｃｉ）、ナガシンクイムシ科のオオナガシンクイムシ（Ｈｅｔｅｒｏｂｏｓｔｒｙｃｈｕｓ  ｈａｍａｔｉｐｅｎｎｉｓ）、シバンムシ科のジンサンシバンムシ（Ｓｔｅｇｏｂｉｕｍ  ｐａｎｉｃｅｕｍ）、ヒョウホンムシ科のヒメヒョウホンムシ（Ｐｉｔｉｎｕｓ  ｃｌａｖｉｐｅｓ）、コクヌスト科のコクヌスト（Ｔｅｎｅｂｒｏｉｄｅｓ  ｍａｕｒｉｔａｎｉｃｕｓ）、カッコウムシ科のアカアシホシカムシ（Ｎｅｃｒｏｂｉａ  ｒｕｆｉｐｅｓ）、ケシキスイ科のクリヤケシキスイ（Ｃａｒｐｏｐｈｉｌｕｓ  ｈｅｍｉｐｔｅｒｕｓ）、ホソヒラタムシ科のカブコブホソヒラタムシ（Ａｈａｓｖｅｒｕｓ  ａｄｖｅｎａ）、チビヒラタムシ科のサビカクムネヒラタムシ（Ｃｒｙｐｔｏｌｅｓｔｅｓ  ｆｅｒｒｕｇｉｎｅｕｓ）、テントウムシ科のインゲンテントウ（Ｅｐｉｌａｃｈｎａ  ｖａｒｉｖｅｓｔｉｓ）、ニジュウヤホシテントウ（Ｈｅｎｏｓｅｐｉｌａｃｈｎａ  ｖｉｇｉｎｔｉｏｃｔｏｐｕｎｃｔａｔａ）、ゴミムシダマシ科のチャイロコメノゴミムシダマシ（Ｔｅｎｅｂｒｉｏ  ｍｏｌｉｔｏｒ）、コクヌストモドキ（Ｔｒｉｂｏｌｉｕｍ  ｃａｓｔａｎｅｕｍ）、ツチハンミョウ科のマメハンミョウ（Ｅｐｉｃａｕｔａ  ｇｏｒｈａｍｉ）、カミキリムシ科のツヤハダゴマダラカミキリ（Ａｎｏｐｌｏｐｈｏｒａ  ｇｌａｂｒｉｐｅｎｎｉｓ）、ブドウトラカミキリ（Ｘｙｌｏｔｒｅｃｈｕｓ  ｐｙｒｒｈｏｄｅｒｕｓ）、マツノマダラカミキリ（Ｍｏｎｏｃｈａｍｕｓ  ａｌｔｅｒｎａｔｕｓ）、マメゾウムシ科のアズキゾウムシ（Ｃａｌｌｏｓｏｂｒｕｃｈｕｓ  ｃｈｉｎｅｎｓｉｓ）、ハムシ科のコロラドハムシ（Ｌｅｐｔｉｎｏｔａｒｓａ  ｄｅｃｅｍｌｉｎｅａｔａ）、ウェスタンコーンルートワーム（Ｄｉａｂｒｏｔｉｃａ  ｖｉｒｇｉｆｅｒａ）、ウリハムシ（Ａｕｌａｃｏｐｈｏｒａ  ｆｅｍｏｒａｌｉｓ）、ダイコンハムシ（Ｐｈａｅｄｏｎ  ｂｒａｓｓｉｃａｅ）、キスジノミハムシ（Ｐｈｙｌｌｏｔｒｅｔａ  ｓｔｒｉｏｌａｔａ）、ミツギリゾウムシ科のアリモドキゾウムシ（Ｃｙｌａｓ  ｆｏｒｍｉｃａｒｉｕｓ）、ゾウムシ科のアルファルファタコゾウムシ（Ｈｙｐｅｒａ  ｐｏｓｔｉｃａ）、ヤサイゾウムシ（Ｌｉｓｔｒｏｄｅｒｅｓ  ｃｏｓｔｉｒｏｓｔｒｉｓ）、イモゾウムシ（Ｅｕｓｃｅｐｅｓ  ｐｏｓｔｆａｓｃｉａｔｕｓ）、イネゾウムシ科のイネゾウムシ（Ｅｃｈｉｎｏｃｎｅｍｕｓ  ｂｉｐｕｎｃｔａｔｕｓ）、イネミズゾウムシ（Ｌｉｓｓｏｒｈｏｐｔｒｕｓ  ｏｒｙｚｏｐｈｉｌｕｓ）、オサゾウムシ科のコクゾウムシ（Ｓｉｔｏｐｈｉｌｕｓ  ｚｅａｍａｉｓ）、シバオサゾウムシ（Ｓｐｈｅｎｏｐｈｒｕｓ  ｖｅｎａｔｕｓ）等、キクイムシ科のマツノキクイムシ（Ｔｏｍｉｃｕｓ  ｐｉｎｉｐｅｒｄａ）、ナガキクイムシ科のヤチダモノナガキクイムシ（Ｃｒｏｓｓｏｔａｒｓｕｓ  ｎｉｐｏｎｉｃｕｓ）、ヒラタキクイムシ科のヒラタキクイムシ（Ｌｙｃｔｕｓ  ｂｒｕｎｎｅｕｓ）、ハエ目害虫、例えばガガンボ科のキリウジガガンボ（Ｔｉｐｕｌａ  ａｉｎｏ）、ケバエ科のラブバッグ（Ｐｌｅｃｉａ  ｎｅａｒｃｔｉｃａ）、キノコバエ科のシイタケトンボキノコバエ（Ｅｘｅｃｈｉａ  ｓｈｉｉｔａｋｅｖｏｒａ）、クロバネキノコバエ科のジャガイモクロバネキノコバエ（Ｐｎｙｘｉａ  ｓｃａｂｉｅｉ）、タマバエ科のダイズサヤタマバエ（Ａｓｐｈｏｎｄｙｌｉａ  ｙｕｓｈｉｍａｉ）、ヘシアンバエ（Ｍａｙｅｔｉｏｌａ  ｄｅｓｔｒｕｃｔｏｒ）、カ科のネッタイシマカ（Ａｅｄｅｓ  ａｅｇｙｐｔｉ）、アカイエカ（Ｃｕｌｅｘ  ｐｉｐｉｅｎｓ  ｐａｌｌｅｎｓ）、ブユ科のウシブユ（Ｓｉｍｕｌｉｕｍ  ｔａｋａｈａｓｈｉｉ）、ユスリカ科のイネユスリカ（Ｃｈｉｒｏｎｏｍｕｓ  ｏｒｙｚａｅ）、アブ科のキンメアブ（Ｃｈｒｙｓｏｐｓ  ｓｕａｖｉｓ）、ウシアブ（Ｔａｂａｎｕｓ  ｔｒｉｇｏｎｕｓ）、ハナアブ科のハイジマハナアブ（Ｅｕｍｅｒｕｓ  ｓｔｒｉｇａｔｕｓ）、ミバエ科のミカンコミバエ（Ｂａｃｔｒｏｃｅｒａ  ｄｏｒｓａｌｉｓ）、オウトウハマダラミバエ（Ｅｕｐｈｒａｎｔａ  ｊａｐｏｎｉｃａ）、チチュウカイミバエ（Ｃｅｒａｔｉｔｉｓ  ｃａｐｉｔａｔａ）、ハモグリバエ科のマメハモグリバエ（Ｌｉｒｉｏｍｙｚａ  ｔｒｉｆｏｌｉｉ）、ナモグリバエ（Ｃｈｒｏｍａｔｏｍｙｉａ  ｈｏｒｔｉｃｏｌａ）、キモグリバエ科のムギキモグリバエ（Ｍｅｒｏｍｙｚａ  ｎｉｇｒｉｖｅｎｔｒｉｓ）、ショウジョウバエ科のオウトウショウジョウバエ（Ｄｒｏｓｏｐｈｉｌａ  ｓｕｚｕｋｉｉ）、キイロショウジョウバエ（Ｄｒｏｓｏｐｈｉｌａ  ｍｅｌａｎｏｇａｓｔｅｒ）、ミギワバエ科のイネミギワバエ（Ｈｙｄｒｅｌｌｉａ  ｇｒｉｓｅｏｌａ）、シラミバエ科のウマシラミバエ（Ｈｉｐｐｏｂｏｓｃａ  ｅｑｕｉｎａ）、フンバエ科のササカワフンバエ（Ｐａｒａｌｌｅｌｐｍｍａ  ｓａｓａｋａｗａｅ）、ハナバエ科のタマネギバエ（Ｄｅｌｉａ  ａｎｔｉｑｕａ）、タネ
バエ（Ｄｅｌｉａ  ｐｌａｔｕｒａ）、ヒメイエバエ科のヒメイエバエ（Ｆａｎｎｉａ  ｃａｎｉｃｕｌａｒｉｓ）、イエバエ科のイエバエ（Ｍｕｓｃａ  ｄｏｍｅｓｔｉｃａ）、サシバエ（Ｓｔｏｍｏｘｙｓ  ｃａｌｃｉｔｒａｎｓ）、ニクバエ科のセンチニクバエ（Ｓａｒｃｏｐｈａｇａ  ｐｅｒｅｇｒｉｎａ）、ウマバエ科のウマバエ（Ｇａｓｔｅｒｏｐｈｉｌｕｓ  ｉｎｔｅｓｔｉｎａｌｉｓ）、ウシバエ科のウシバエ（Ｈｙｐｏｄｅｒｍａ  ｌｉｎｅａｔｕｍ）、ヒツジバエ科のヒツジバエ（Ｏｅｓｔｒｕｓ  ｏｖｉｓ）、チョウ目害虫、例えばコウモリガ科のコウモリガ（Ｅｎｄｏｃｌｉｔａ  ｅｘｃｒｅｓｃｅｎｓ）、ツヤコガ科のブドウツヤコガ（Ａｎｔｉｓｐｉｌａ  ａｍｐｅｌｏｐｓｉａ）、ボクトウガ科のゴマフボクトウ（Ｚｅｕｚｅｒａ  ｌｅｕｃｏｎｏｔｕｍ）、ハマキガ科のミダレカクモンハマキ（Ａｒｃｈｉｐｓ  ｆｕｓｃｏｃｕｐｒｅａｎｕｓ）、リンゴコカクモンハマキ（Ａｄｏｘｏｐｈｙｅｓ  ｏｒａｎａ  ｆａｓｃｉａｔａ）、ナシヒメシンクイ（Ｇｒａｐｈｏｌｉｔａ  ｍｏｌｅｓｔａ）、チャハマキ（Ｈｏｍｏｎａ  ｍａｇｎａｎｉｍａ）、マメシンクイガ（Ｌｅｇｕｍｉｎｉｖｏｒａ  ｇｌｙｃｉｎｉｖｏｒｅｌｌａ）、コドリンガ（Ｃｙｄｉａ  ｐｏｍｏｎｅｌｌａ）、ホソハマキ科のブドウホソハマキ（Ｅｕｐｏｅｃｉｌｉａ  ａｍｂｉｇｕｅｌｌａ）、ミノガ科のクロツヤミノガ（Ｂａｍｂａｌｉｎａ  ｓｐ．）、チャミノガ（Ｅｕｍｅｔａ  ｍｉｎｕｓｃｕｌａ）、ヒロズコガ科のコクガ（Ｎｅｍａｐｏｇｏｎ  ｇｒａｎｅｌｌａ）、イガ（Ｔｉｎｅａ  ｔｒａｎｓｌｕｃｅｎｓ）、チビガ科のナシチビガ（Ｂｕｃｃｕｌａｔｒｉｘ  ｐｙｒｉｖｏｒｅｌｌａ）、ハモグリガ科のモモハモグリガ（Ｌｙｏｎｅｔｉａ  ｃｌｅｒｋｅｌｌａ）、ホソガ科のチャノホソガ（Ｃａｌｏｐｔｉｌｉａ  ｔｈｅｉｖｏｒａ）、キンモンホソガ（Ｐｈｙｌｌｏｎｏｒｙｃｔｅｒ  ｒｉｎｇｏｎｉｅｌｌａ）、コハモグリガ科のミカンハモグリガ（Ｐｈｙｌｌｏｃｎｉｓｔｉｓ  ｃｉｔｒｅｌｌａ）、アトヒゲコガ科のネギコガ（Ａｃｒｏｌｅｐｉｏｐｓｉｓ  ｓａｐｐｏｒｅｎｓｉｓ）、コナガ科のコナガ（Ｐｌｕｔｅｌｌａ  ｘｙｌｏｓｔｅｌｌａ）、スガ科のリンゴスガ（Ｙｐｏｎｏｍｅｕｔａ  ｏｒｉｅｎｔａｌｉｓ）、メムシガ科のリンゴヒメシンクイ（Ａｒｇｙｒｅｓｔｈｉａ  ｃｏｎｊｕｇｅｌｌａ）、スカシバガ科のブドウスカシバ（Ｎｏｋｏｎａ  ｒｅｇａｌｉｓ）、キバガ科のジャガイモガ（Ｐｈｔｈｏｒｉｍａｅａ  ｏｐｅｒｃｕｌｅｌｌａ）、バクガ（Ｓｉｔｏｔｒｏｇａ  ｃｅｒｅａｌｅｌｌａ）、ワタアカミムシガ（Ｐｅｃｔｉｎｏｐｈｏｒａ  ｇｏｓｓｙｐｉｅｌｌａ）、シンクイガ科のモモシンクイガ（Ｃａｒｐｏｓｉｎａ  ｓａｓａｋｉｉ）、マダラガ科のリンゴハマキクロバ（Ｉｌｌｉｂｅｒｉｓ  ｐｒｕｎｉ）、イラガ科のイラガ（Ｍｏｎｅｍａ  ｆｌａｖｅｓｃｅｎｓ）、ツトガ科のツトガ（Ａｎｃｙｌｏｌｏｍｉａ  ｊａｐｏｎｉｃａ）、ニカメイガ（Ｃｈｉｌｏ  ｓｕｐｐｒｅｓｓａｌｉｓ）、コブノメイガ（Ｃｎａｐｈａｌｏｃｒｏｃｉｓ  ｍｅｄｉｎａｌｉｓ）、アワノメイガ（Ｏｓｔｒｉｎｉａ  ｆｕｒｎａｃａｌｉｓ）、ヨーロピアンコーンボーラー（Ｏｓｔｒｉｎ���ａ  ｎｕｂｉｌａｌｉｓ）、メイガ科のスジマダラメイガ（Ｃａｄｒａ  ｃａｕｔｅｌｌａ）、ハチノスツヅリガ（Ｇａｌｌｅｒｉａ  ｍｅｌｌｏｎｅｌｌａ）、トリバガ科のブドウトリバ（Ｎｉｐｐｏｐｔｉｌｉａ  ｖｉｔｉｓ）、アゲハチョウ科のナミアゲハ（Ｐａｐｉｌｉｏ  ｘｕｔｈｕｓ）、シロチョウ科のモンシロチョウ（Ｐｉｅｒｉｓ  ｒａｐａｅ）、セセリチョウ科のイチモンジセセリ（Ｐａｒｎａｒａ  ｇｕｔｔａｔａ）、シャクガ科のヨモギエダシャク（Ａｓｃｏｔｉｓ  ｓｅｌｅｎａｒｉａ）、カレハガ科のマツカレハ（Ｄｅｎｄｒｏｌｉｍｕｓ  ｓｐｅｃｔａｂｉｌｉｓ）、オビカレハ（Ｍａｌａｃｏｓｏｍａ  ｎｅｕｓｔｒｉｕｍ  ｔｅｓｔａｃｅｕｍ）、スズメガ科のエビガラスズメ（Ａｇｒｉｕｓ  ｃｏｎｖｏｌｖｕｌｉ）、ドクガ科のチャドクガ（Ａｒｎａ  ｐｓｅｕｄｏｃｏｎｓｐｅｒｓａ）、マイマイガ（Ｌｙｍａｎｔｒｉａ  ｄｉｓｐａｒ）、ヒトリガ科のアメリカシロヒトリ（Ｈｙｐｈａｎｔｒｉａ  ｃｕｎｅａ）、ヤガ科のタマナヤガ（Ａｇｒｏｔｉｓ  ｉｐｓｉｌｏｎ）、タマナギンウワバ（Ａｕｔｏｇｒａｐｈａ  ｎｉｇｒｉｓｉｇｎａ）、オオタバコガ（Ｈｅｌｉｃｏｖｅｒｐａ  ａｒｍｉｇｅｒａ）、コーンイヤーワーム（Ｈｅｌｉｃｏｖｅｒｐａ  ｚｅａ）、タバコバドワーム（Ｈｅｌｉｏｔｈｉｓ  ｖｉｒｅｓｃｅｎｓ）、シロイチモジヨトウ（Ｓｐｏｄｏｐｔｅｒａ  ｅｘｉｇｕａ）、ハスモンヨトウ（Ｓｐｏｄｏｐｔｅｒａ  ｌｉｔｕｒａ）、ハチ目害虫、例えばミフシハバチ科のチュウレンジハバチ（Ａｒｇｅ  ｐａｇａｎａ）、ハバチ科のクリハバチ（Ａｐｅｔｈｙｍｕｓ  ｋｕｒｉ）、カブラハバチ（Ａｔｈａｌｉａ  ｒｏｓａｅ  ｒｕｆｉｃｏｒｎｉｓ）、タマバチ科のクリタマバチ（Ｄｒｙｏｃｏｓｍｕｓ  ｋｕｒｉｐｈｉｌｕｓ）、スズメバチ科のキイロスズメバチ（Ｖｅｓｐａ  ｓｉｍｉｌｌｉｍａ  ｘａｎｔｈｏｐｔｅｒａ）、アリ科のヒアリ（Ｓｏｌｅｎｏｐｓｉｓ  ｉｎｖｉｃｔａ）、ハキリバチ科のバラハキリバチ（Ｍｅｇａｃｈｉｌｅ  ｎｉｐｐｏｎｉｃａ）、トビムシ目害虫、例えばマルトビムシ科のキボシマルトビムシ（Ｂｏｕｒｌｅｔｉｅｌｌａ  ｈｏｒｔｅｎｓｉｓ）、シミ目害虫、例えばシミ科のセイヨウシミ（Ｌｅｐｉｓｍａ  ｓａｃｃｈａｒｉｎａ）、ヤマトシミ（Ｃｔｅｎｏｌｅｐｉｓｍａ  ｖｉｌｌｏｓａ）、ゴキブリ目害虫、例えばゴキブリ科のワモンゴキブリ（Ｐｅｒｉｐｌａｎｅｔａ  ａｍｅｒｉｃａｎａ）、チャバネゴキブリ科のチャバネゴキブリ（Ｂｌａｔｔｅｌｌａ  ｇｅｒｍａｎｉｃａ）、シロアリ目害虫、例えばレイビシロアリ科のアメリカカンザイシロアリ（Ｉｎｃｉｓｉｔｅｒｍｅｓ  ｍｉｎｏｒ）、ミゾガラシロアリ科のイエシロアリ（Ｃｏｐｔｏｔｅｒｍｅｓ  ｆｏｒｍｏｓａｎｕｓ）、シロアリ科のタイワンシロアリ（Ｏｄｏｎｔｏｔｅｒｍｅｓ  ｆｏｒｍｏｓａｎｕｓ）、チャタテムシ目害虫、例えばコチャタテ科のコチャタテ（Ｔｒｏｇｉｕｍ  ｐｕｌｓａｔｏｒｉｕｍ）、コナチャタテ科のウスグロチャタテ（Ｌｉｐｏｓｃｅｌｉｓ  ｃｏｒｒｏｄｅｎｓ）、ハジラミ目害虫、例えばトリハジラミ科のニワトリナガハジラミ（Ｌｉｐｅｕｒｕｓ  ｃａｐｏｎｉｓ）、ケモノハジラミ科のウシハジラミ（Ｄａｍａｌｉｎｉ���  ｂｏｖｉｓ）、シラミ目害虫、例えばケモノジラミ科のブタジラミ（Ｈａｅｍａｔｏｐｉｎｕｓ  ｓｕｉｓ）、ヒトジラミ科のヒトジラミ（Ｐｅｄｉｃｕｌｕｓ  ｈｕｍａｎｕｓ）、ケモノホソジラミ科のイヌジラミ（Ｌｉｎｏｇｎａｔｈｕｓ  ｓｅｔｏｓｕｓ）、ケジラミ科のケジラミ（Ｐｔｈｉｒｕｓ  ｐｕｂｉｓ）、植物寄生性ダニ類、例えばハシリダニ科のムギダニ（Ｐｅｎｔｈａｌｅｕｓ  ｍａｊｏｒ）、ホコリダニ科のシクラメンホコリダニ（Ｐｈｙｔｏｎｅｍｕｓ  ｐａｌｌｉｄｕｓ）、チャノホコリダニ（Ｐｏｌｙｐｈａｇｏｔａｒｓｏｎｅｍｕｓ  ｌａｔｕｓ）、シラミダニ科のシラミダニの一種（Ｓｉｔｅｒｏｐｔｅｓ  ｓｐ．）、ヒメハダニ科のブドウヒメハダニ（Ｂｒｅｖｉｐａｌｐｕｓ  ｌｅｗｉｓｉ）、ケナガハダニ科のナミケナガハダニ（Ｔｕｃｋｅｒｅｌｌａ  ｐａｖｏｎｉｆｏｒｍｉｓ）、ハダニ科のアンズアケハダニ（Ｅｏｔｅｔｒａｎｙｃｈｕｓ  ｂｏｒｅｕｓ）、ミカンハダニ（Ｐａｎｏｎｙｃｈｕｓ  ｃｉｔｒｉ）、リンゴハダニ（Ｐａｎｏｎｙｃｈｕｓ  ｕｌｍｉ）、ナミハダニ（Ｔｅｔｒａｎｙｃｈｕｓ  ｕｒｔｉｃａｅ）、カンザワハダニ（Ｔｅｔｒａｎｙｃｈｕｓ  ｋａｎｚａｗａｉ）、ナガクダフシダニ科のマツフシダニ（Ｔｒｉｓｅｔａｃｕｓ  ｐｉｎｉ）、フシダニ科のミカンサビダニ（Ａｃｕｌｏｐｓ  ｐｅｌｅｋａｓｓｉ）、ナシサビダニ（Ｅｐｉｔｒｉｍｅｒｕｓ  ｐｙｒｉ）、シトラスラストマイト（Ｐｈｙｌｌｏｃｏｐｔｒｕｔａ  ｏｌｅｉｖｏｒａ）、ハリナガフシダニ科のイヌツゲフシダニ（Ｄｉｐｔａｃｕｓ  ｃｒｅｎａｔａｅ）、コナダニ科のムギコナダニ（Ａｌｅｕｒｏｇｌｙｐｈｕｓ  ｏｖａｔｕｓ）、ケナガコナダニ（Ｔｙｒｏｐｈａｇｕｓ  ｐｕｔｒｅｓｃｅｎｔｉａｅ）、ロビンネダニ（Ｒｈｉｚｏｇｌｙｐｈｕｓ  ｒｏｂｉｎｉ）を挙げることができるが、本発明はこれらの例に限定されるものではない。上記害虫のうち、特に、アザミウマ目害虫、コウチュウ目害虫、ハエ目、チョウ目などの土壌害虫を本発明により好適に防除できる。
【００３２】
本発明の農薬製剤組成物により防除することのできる雑草としては、アカバナ科雑草、例えばオオマツヨイグサ（Ｏｅｎｏｔｈｅｒａ  ｅｒｙｔｈｒｏｓｅｐａｌａ）、コマツヨイグサ（Ｏｅｎｏｔｈｅｒａ  ｌａｃｉｎｉａｔａ）、キンポウゲ科雑草、例えばトゲミノキツネノボタン（Ｒａｎｕｎｃｕｌｕｓ  ｍｕｒｉｃａｔｕｓ）、イボミキンポウゲ（Ｒａｎｕｎｃｕｌｕｓ  ｓａｒｄｏｕｓ）、タデ科雑草、例えばソバカズラ（Ｐｏｌｙｇｏｎｕｍ  ｃｏｎｖｏｌｖｕｌｕｓ）、サナエタデ（Ｐｏｌｙｇｏｎｕｍ  ｌａｐａｔｈｉｆｏｌｉｕｍ）、アメリカサナエタデ（Ｐｏｌｙｇｏｎｕｍ  ｐｅｎｓｙｌｖａｎｉｃｕｍ）、ハルタデ（Ｐｏｌｙｇｏｎｕｍ  ｐｅｒｓｉｃａｒｉａ）、ナガバギシギシ（Ｒｕｍｅｘ  ｃｒｉｓｐｕｓ）、エゾノギシギシ（Ｒｕｍｅｘ  ｏｂｔｕｓｉｆｏｌｉｕｓ）、イタドリ（Ｐｏｌｉｇｏｎｕｍ  ｃｕｓｐｉｄａｔｕｍ）、ペンシルバニアスマートウィード（Ｐｏｌｙｇｏｎｕｍ  ｐｅｎｓｙｌｖａｎｉｃｕｍ）、イヌタデ（Ｐｅｒｓｉｃａｒｉａ  ｌｏｎｇｉｓｅｔａ）、オオイヌタデ（Ｐｅｒｓｉｃａｒｉａ  ｌａｐａｔｈｉｆｏｌｉａ）、タニソバ（Ｐｅｒｓｉｃａｒｉａ  ｎｅｐａｌｅｎｓｉｓ）、スベリヒユ科雑草、例えばスベリヒユ（Ｐｏｒｔｕｌａｃａ  ｏｌｅｒａｃｅａ）、ナデシコ科雑草、例えばハコベ（Ｓｔｅｌｌａｒｉａ  ｍｅｄｉａ）、オランダミミナグサ（Ｃｅｒａｓｔｉｕｍ  ｇｌｏｍｅｒａｔｕｍ）、ノミノフスマ（Ｓｔｅｌｌａｒｉａ  ａｌｓｉｎｅ）、オオツメクサ（Ｓｐｅｒｇｕｌａ  ａｒｖｅｎｓｉｓ）、ウシハコベ（Ｓｔｅｌｌａｒｉａ  ａｑｕａｔｉｃａ）、アカザ科雑草、例えばシロザ（Ｃｈｅｎｏｐｏｄｉｕｍ  ａｌｂｕｍ）、ホウキギ（Ｋｏｃｈｉａ  ｓｃｏｐａｒｉａ）、アカザ（Ｃｈｅｎｏｐｏｄｉｕｍ  ａｌｂｕｍ）、コアカザ（Ｃｈｅｎｏｐｏｄｉｕｍ  ｆｉｃｉｆｏｌｉｕｍ）、ヒユ科雑草、例えばアオゲイトウ（Ａｍａｒａｎｔｈｕｓ  ｒｅｔｒｏｆｌｅｘｕｓ）、ホナガアオゲイトウ（Ａｍａｒａｎｔｈｕｓ  ｈｙｂｒｉｄｕｓ）、オオホナガアオゲイトウ（Ａｍａｒａｎｔｈｕｓ  ｐａｌｍｅｒｉ）、ハリビユ（Ａｍａｒａｎｔｈｕｓ  ｓｐｉｎｏｓｕｓ）、ホソバイヌビユ（Ａｍａｒａｎｔｈｕｓ  ｒｕｄｉｓ）、ヒメシロビユ（Ａｍａｒａｎｔｈｕｓ  ａｌｂｕｓ）、アオビユ（Ａｍａｒａｎｔｈｕｓ  ｖｉｒｉｄｕｓ）、イヌビユ（Ａｍａｒａｎｔｈｕｓ  ｌｉｖｉｄｕｓ）、アブラナ科雑草、例えばワイルドラディッシュ（Ｒａｐｈａｎｕｓ  ｒａｐｈａｎｉｓｔｒｕｍ）、ノハラガラシ（Ｓｉｎａｐｉｓ  ａｒｖｅｎｓｉｓ）、ナズナ（Ｃａｐｓｅｌｌａｂｕｒｓａ  ｐａｓｔｏｒｉｓ）、マメグンバイナズナ（Ｌｅｐｉｄｉｕｍ  ｖｉｒｇｉｎｉｃｕｍ）、グンバイナズナ（Ｔｈｌａｓｐｉ  ａｒｖｅｎｓｅ）、クジラグサ（Ｄｅｓｃｕｒａｒｉｎｉａ  ｓｏｐｈｉａ）、イヌガラシ（Ｒｏｒｉｐｐａ  ｉｎｄｉｃａ）、スカシタゴボウ（Ｒｏｒｉｐｐａ  ｉｓｌａｎｄｉｃａ）、カキネガラシ（Ｓｉｓｙｍｎｒｉｕｍ  ｏｆｆｉｃｉｎａｌｅ）、タネツケバナ（Ｃａｒｄａｍｉｎｅ  ｆｌｅｘｕｏｓａ）、オランダガラシ（Ｎａｓｔｕｒｔｉｕｍ  ｏｆｆｉｃｉｎａｌｅ）、イヌナズナ（Ｄｒａｂａ  ｎｅｍｏｒｏｓａ）、マメ科雑草、例えばアメリカツノクサネム（Ｓｅｓｂａｎｉａ  ｅｘａｌｔａｔａ）、エビスグサ（Ｃａｓｓｉａ  ｏｂｔｕｓｉｆｏｌｉａ）、フロリダベガーウィード（Ｄｅｓｍｏｄｉｕｍ  ｔｏｒｔｕｏｓｕｍ）、シロツメクサ（Ｄｅｓｍｏｄｉｕｍ  ｔｏｒｔｕｏｓｕｍ）、オオカラスノエンドウ（Ｖｉｃｉａ  ｓａｔｉｖａ）、コメツブウマゴヤシ（Ｍｅｄｉｃａｇｏ  ｌｕｐｕｌｉｎａ）、スズメノエンドウ（Ｖｉｃｉａ  ｈｉｒｓｕｔａ）、ヤハズソウ（Ｋｕｍｍｅｒｏｗｉａ  ｓｔｒｉａｔａ）、ウマゴヤシ（Ｍｅｄｉｃａｇｏ  ｐｏｌｙｍｏｒｐｈａ）、カラスノエンドウ（Ｖｉｃｉａ  ａｎｇｕｓｔｉｆｏｌｉａ）、クサネム（Ａｅｓｃｈｙｎｏｍｅｎｅ  ｉｎｄｉｃａ）、アオイ科雑草、例えばイチビ（Ａｂｕｔｉｌｏｎ  ｔｈｅｏｐｈｒａｓｔｉ）、アメリカキンゴジカ（Ｓｉｄａ  ｓｐｉｎｏｓａ）、スミレ科雑草、例えばフィールドパンジー（Ｖｉｏｌａ  ａｒｖｅｎｓｉｓ）、ワイルドパンジー（Ｖｉｏｌａ  ｔｒｉｃｏｌｏｒ）、アカネ科雑草、例えばヤエムグラ（Ｇａｌｉｕｍ  ａｐａｒｉｎｅ）、ヒルガオ科雑草、例えばアメリカアサガオ（Ｉｐｏｍｏｅａ  ｈｅｄｅｒａｃｅａ）、マルバアサガオ（Ｉｐｏｍｏｅａ  ｐｕｒｐｕｒｅａ）、マルバアメリカアサガオ（Ｉｐｏｍｏｅａ  ｈｅｄｅｒａｃｅａ  ｖａｒ  ｉｎｔｅｇｒｉｕｓｃｕｌａ）、マメアサガオ（Ｉｐｏｍｏｅａ  ｌａｃｕｎｏｓａ）、セイヨウヒルガオ（Ｃｏｎｖｏｌｖｕｌｕｓ  ａｒｖｅｎｓｉｓ）、ノアサガオ（Ｉｐｏｍｏｅａ  ｉｎｄｉｃａ）、マルバルコウ（Ｉｐｏｍｏｅａ  ｃｏｃｃｉｎｅａ）、ホシアサガオ（Ｉｐｏｍｏｅａ  ｔｒｉｌｏｂａ）、シソ科雑草、例えばヒメオドリコソウ（Ｌａｍｉｕｍ  ｐｕｒｐｕｒｅｕｍ）、ホトケノザ（Ｌａｍｉｕｍ  ａｍｐｌｅｘｉｃａｕｌｅ）、ヤブチョロギ（Ｓｔａｃｈｙｓ  ａｒｖｅｎｓｉｓ）、ナス科雑草、例えばシロバナチョウセンアサガオ（Ｄａｔｕｒａ  ｓｔｒａｍｏｎｉｕｍ）、イヌホオズキ（Ｓｏｌａｎｕｍ  ｎｉｇｒｕｍ）、センナリホオズキ（Ｐｈｙｓａｌｉｓ  ａｎｇｕｌａｔａ）、アメリカイヌホオズキ（Ｓｏｌａｎｕｍ  ａｍｅｒｉｃａｎｕｍ）、ワルナスビ（Ｓｏｌａｎｕｍ  ｃａｒｏｌｉｎｅｎｓｅ）、ゴマノハグサ科雑草、例えばオオイヌノフグリ（Ｖｅｒｏｎｉｃａ  ｐｅｒｓｉｃａ）、タチイヌノフグリ（Ｖｅｒｏｎｉｃａ  ａｒｖｅｎｓｉｓ）、フラサバソウ（Ｖｅｒｏｎｉｃａ  ｈｅｄｅｒａｅｆｏｌｉａ、キク科雑草、例えばタカサブロウ（Ｅｃｌｉｐｔａ  ｐｒｏｓｔｒａｔａ）、タウコギ（Ｂｉｄｅｎｓ  ｔｒｉｐａｒｔｉｔａ）、オナモミ（Ｘａｎｔｈｉｕｍ  ｐｅｎｓｙｌｖａｎｉｃｕｍ）、野生ヒマワリ（Ｈｅｌｉａｎｔｈｕｓ  ａｎｎｕｕｓ）、カミツレ（Ｍａｔｒｉｃａｒｉａ  ｃｈａｍｏｍｉｌｌａ）、イヌカミツレ（Ｍａｔｒｉｃａｒｉａ  ｐｅｒｆｏｒａｔａｏｒｉｎｏｄｏｒａ）、コーンマリーゴールド（Ｃｈｒｙｓａｎｔｈｅｍｕｍ  ｓｅｇｅｔｕｍ）、コシカギク（Ｍａｔｒｉｃａｒｉａ  ｍａｔｒｉｃａｒｉｏｉｄｅｓ）、ブタクサ（Ａｍｂｒｏｓｉａ  ａｒｔｅｍｉｓｉｉｆｏｌｉａ）、オオブタクサ（Ａｍｂｒｏｓｉａ  ｔｒｉｆｉｄａ）、ヒメムカシヨモギ（Ｅｒｉｇｅｒｏｎ  ｃａｎａｄｅｎｓｉｓ）、ヨモギ（Ａｒｔｅｍｉｓｉａ  ���ｒｉｎｃｅｐｓ）、セイタカアワダチソウ（Ｓｏｌｉｄａｇｏ  ａｌｔｉｓｓｉｍａ）、セイヨウタンポポ（Ｔａｒａｘａｃｕｍ  ｏｆｆｉｃｉｎａｌｅ）、カミツレモドキ（Ａｎｔｈｅｍｉｓ  ｃｏｔｕｌａ）、エゾノキツネアザミ（Ｂｒｅｅａ  ｓｅｔｏｓａ）、ノゲシ（Ｓｏｎｃｈｕｓ  ｏｌｅｒａｃｅｕｓ）、キクイモ（Ｈｅｌｉａｎｔｈｕｓ  ｔｕｂｅｒｏｓｕｓ）、セイヨウトゲアザミ（Ｃｉｒｓｉｕｍ  ａｒｖｅｎｓｅ）、アメリカセンダングサ（Ｂｉｄｅｎｓ  ｆｒｏｎｄｏｓａ）、コセンダングサ（Ｂｉｄｅｎｓ  ｐｉｌｏｓａ）、ヤグルマギク（Ｃｅｎｔｕｒｅａ  ｃｙａｎｕｓ）、アメリカオニアザミ（Ｃｉｒｓｉｕｍ  ｖｕｌｇａｒｅ）、トゲチシャ（Ｌａｃｔｕｃａ  ｓｃａｒｉｏｌａ）、アラゲハンゴンソウ（Ｒｕｄｂｅｃｋｉａ  ｈｉｒｔａ）、オオハンゴンソウ（Ｒｕｄｂｅｃｋｉａ  ｌａｃｉｎｉａｔａ）、ヤエザキオオハンゴンソウ（Ｒｕｄｂｅｃｋｉａ  ｌａｃｉｎｉａｔａ  ｖａｒ．  ｈｏｒｔｅｎｓｉｓ  Ｂａｉｌｅｙ）、ノボロギク（Ｓｅｎｅｃｉｏ  ｖｕｌｇａｉｓ）、オオアザミ（Ｓｉｌｙｂｕｍ  ｍａｒｉａｎｕｍ）、オニノゲシ（Ｓｏｎｃｈｕｓ  ａｓｐｅｒ）、タイワンハチジョウナ（Ｓｏｎｃｈｕｓ  ａｒｖｅｎｓｉｓ）、ホソバオカヒジキ（Ｓａｌｓｏｌａ  ｋａｌｉ）、ナルトサワギク（Ｓｅｎｅｃｉｏ  ｍａｄａｇａｓｃａｒｉｅｎｓｉｓ）、オオキンケイギク（Ｃｏｒｅｏｐｓｉｓ  ｌａｎｃｅｏｌａｔａ）、ムラサキ科雑草、例えばワスレナグサ（Ｍｙｏｓｏｔｉｓ  ａｒｖｅｎｓｉｓ）、ガガイモ科雑草、例えばオオトウワタ（Ａｓｃｌｅｐｉａｓ  ｓｙｒｉａｃａ）、トウダイグサ科雑草、例えばトウダイグサ（Ｅｕｐｈｏｒｂｉａ  ｈｅｌｉｏｓｃｏｐｉａ）、オオニシキソウ（Ｅｕｐｈｏｒｂｉａ  ｍａｃｕｌａｔａ）、エノキグサ（Ａｃａｌｙｐｈａ  ａｕｓｔｒａｌｉｓ）、フウロソウ科雑草、例えばアメリカフウロ（Ｇｅｒａｎｉｕｍ  ｃａｒｏｌｉｎｉａｎｕｍ）、カタバミ科雑草、例えばムラサキカタバミ（Ｏｘａｌｉｓ  ｃｏｒｙｍｂｏｓａ）、ウリ科雑草、例えばアレチウリ（Ｓｉｃｙｏｓ  ａｎｇｕｌａｔｕｓ）、イネ科雑草、例えばタイヌビエ（Ｅｃｈｉｎｏｃｈｌｏａ  ｏｒｙｚｉｃｏｌａ）、アゼガヤ（Ｌｅｐｔｏｃｈｌｏａ  ｃｈｉｎｅｎｓｉｓ）、チゴザサ（Ｉｓａｃｈｎｅ  ｇｌｏｂｏｓａ）、キシュウスズメノヒエ（Ｐａｓｐａｌｕｍ  ｄｉｓｔｉｃｈｕｍ）、サヤヌイカグサ（Ｌｅｅｒｓｉａ  ｓａｙａｎｕｋａ）、エゾノサヤヌカグサ（Ｌｅｅｒｓｉａ  ｏｒｙｚｏｉｄｅｓ）、イヌビエ（Ｅｃｈｉｎｏｃｈｌｏａ  ｃｒｕｓ−ｇａｌｌｉ）、エノコログサ（Ｓｅｔａｒｉａ  ｖｉｒｉｄｉｓ）、アキノエノコログサ（Ｓｅｔａｒｉａ  ｆａｂｅｒｉ）、メヒシバ（Ｄｉｇｉｔａｒｉａ  ｓａｎｇｕｉｎａｌｉｓ）、オヒシバ（Ｅｌｅｕｓｉｎｅ  ｉｎｄｉｃａ）、スズメノカタビラ（Ｐｏａ  ａｎｎｕａ）、ブラックグラス（Ａｌｏｐｅｃｕｒｕｓ  ｍｙｏｓｕｒｏｉｄｅｓ）、カラスムギ（Ａｖｅｎａ  ｆａｔｕａ）、セイバンモロコシ（Ｓｏｒｇｈｕｍ  ｈａｌｅｐｅｎｓｅ）、シバムギ（Ａｇｒｏｐｙｒｏｎ  ｒｅｐｅｎｓ）、ウマノチャヒキ（Ｂｒｏｍｕｓ  ｔｅｃｔｏｒｕｍ）、ギョウギシバ（Ｃｙｎｏｄｏｎｅ  ｄａｃｔｙｌｏｎ）、���オクサキビ（Ｐａｎｉｃｕｍ  ｄｉｃｈｏｔｏｍｉｆｌｏｒｕｍ）、テキサスパニカム（Ｐａｎｉｃｕｍ  ｔｅｘａｎｕｍ）、シャターケーン（Ｓｏｒｇｈｕｍ  ｖｕｌｇａｒｅ）、スズメノテッポウ（Ａｌｏｐｅｃｕｒｕｓ  ｇｅｎｉｃｕｌａｔｕｓ）、ネズミムギ（Ｌｏｌｉｕｍ  ｍｕｌｔｉｆｌｏｒｕｍ）、リジッドライグラス（Ｌｏｌｉｕｍ  ｒｉｇｉｄｕｍ）、キンエノコロ（Ｓｅｔａｒｉａ  ｇｌａｕｃａ）、カズノコグサ（Ｂｅｃｋｍａｎｎｉａ  ｓｙｚｉｇａｃｈｎｅ）、ツユクサ科雑草、例えばツユクサ（Ｃｏｍｍｅｌｉｎａ  ｃｏｍｍｕｎｉｓ）、イボクサ（Ｍｕｒｄａｎｎｉａ  ｋｅｉｓａｋ）、トクサ科雑草、例えばスギナ（Ｅｑｕｉｓｅｔｕｍ  ａｒｖｅｎｓｅ）、ケシ科雑草、例えばヒナゲシ（Ｐａｐａｖｅｒ  ｒｈｏｅａｓ）、カヤツリグサ科雑草、例えばコゴメガヤツリ（Ｃｙｐｅｒｕｓ  ｉｒｉａ）、ハマスゲ（Ｃｙｐｅｒｕｓ  ｒｏｔｕｎｄｕｓ）、キハマスゲ（Ｃｙｐｅｒｕｓ  ｅｓｃｕｌｅｎｔｕｓ）、タマガヤツリ（Ｃｙｐｅｒｕｓ  ｄｉｆｆｏｒｍｉｓ）、ホタルイ（Ｓｃｉｒｐｕｓ  ｈｏｔａｒｕｉ）、マツバイ（Ｅｌｅｏｃｈａｒｉｓ  ａｃｉｃｕｌａｒｉｓ）、ミズガヤツリ（Ｃｙｐｅｒｕｓ  ｓｅｒｏｔｉｎｕｓ）、クログワイ（Ｅｌｅｏｃｈａｒｉｓ  ｋｕｒｏｇｕｗａｉ）、ヒデリコ（Ｆｉｍｂｒｉｓｔｙｌｉｓ  ｍｉｌｉａｃｅａ）、ヒナガヤツリ（Ｃｙｐｅｒｕｓ  ｆｌａｃｃｉｄｕｓ）、アゼガヤツリ（Ｃｙｐｅｒｕｓ  ｇｌｏｂｏｓｕｓ）、サンカクイ（Ｓｃｉｒｐｕｓ  ｊｕｎｃｏｉｄｅｓ）、タイワンヤマイ（Ｓｃｉｒｐｕｓ  ｗａｌｌｉｃｈｉｉ）、シズイ（Ｓｃｉｒｐｕｓ  ｎｉｐｐｏｎｉｃｕｓ）、テンツキ（Ｆｉｍｂｒｉｓｔｙｌｉｓ  ａｕｔｕｍｎａｌｉｓ）、フトイ（Ｓｃｉｒｐｕｓ  ｔａｂｅｒｎａｅｍｏｎｔａｎｉ）、ゴマノハグサ科雑草、例えばアゼナ（Ｌｉｎｄｅｒｎｉａ  ｐｒｏｃｕｍｂｅｎｓ）、アメリカアゼナ（Ｌｉｎｄｅｒｎｉａ  ｄｕｂｉａ）、アブノメ（Ｄｏｐａｔｒｉｕｍ  ｊｕｎｃｅｕｍ）、オオアブノメ（Ｇｒａｔｉｏｌａ  ｊａｐｏｎｉｃａ）、アゼトウガラシ（Ｌｉｎｄｅｒｎｉａ  ａｎｇｕｓｔｉｆｏｌｉａ）、キクモ（Ｌｉｍｎｏｐｈｉｌａ  ｓｅｓｓｉｌｉｆｌｏｒａ）、ミソハギ科雑草、例えばキカシグサ（Ｒｏｔａｌａ  ｉｎｄｉｃａ）
、ヒメミソハギ（Ａｍｍａｎｎｉａ  ｍｕｌｔｉｆｌｏｒａ）、ミゾハコベ科雑草、例えばミゾハコベ（Ｅｌａｔｉｎｅ  ｔｒｉａｎｄｒａ）、コナギ（Ｍｏｎｏｃｈｏｒｉａ  ｖａｇｉｎａｌｉｓ）、ミズアオイ（Ｍｏｎｏｃｈｏｒｉａ  ｋｏｒｓａｋｏｗｉｉ）、アメリカコナギ（Ｈｅｔｅｒａｎｔｈｅｒａ  ｌｉｍｏｓａ）、オモダカ科雑草、例えばウリカワ（Ｓａｇｉｔｔａｒｉａ  ｐｙｇｍａｅａ）、オモダカ（Ｓａｇｉｔｔａｒｉａ  ｔｒｉｆｏｌｉａ）、ヘラオモダカ（Ａｌｉｓｍａ  ｃａｎａｌｉｃｕｌａｔｕｍ）、アキナシ（Ｓａｇｉｔｔａｒｉａ  ａｇｉｎａｓｈｉ）、ヒルムシロ科雑草、例えばヒルムシロ（Ｐｏｔａｍｏｇｅｔｏｎ  ｄｉｓｔｉｎｃｔｕｓ）、ホシクサ科雑草、例えばホシクサ（Ｅｒｉｏｃａｕｌｏｎ  ｃｉｎｅｒｅｕｍ）、セリ科雑草、例えばセリ（Ｏｅｎａｎｔｈｅ  ｊａｖａｎｉｃａ）などを挙げることができるが、本発明はこれらの例に限定されるものではない。
【００３３】
さらに、本発明の農薬製剤組成物により、例えば、堤防ののり面、河川敷、道路の路肩及びのり面、鉄道敷、公園緑地、グランド、駐車場、空港、工場及び貯蔵設備等の工業施設用地、休耕地、あるいは、市街の有休地等の雑草の生育を制御する必要のある非農耕地、あるいは、樹園地、牧草地、芝生地、林業地等に発生する広範囲の雑草を除草できる。また本発明の農薬製剤組成物により、防除できる対象として河川、水路、運河、貯水池等に発生するシャジクモ科、例えばシャジクモ（Ｃｈａｒａ  ｂｒａｕｎｉｉ）、ウキクサ科、例えばウキクサ（Ｓｐｉｒｏｄｅｌａ  ｐｏｌｙｒｈｉｚａ）、タイ類、例えばイチョウウキゴケ（Ｒｉｃｃｉｏｃａｒｐｕｓ  ｎａｔａｎｓ）、ホシミドロ科、例えばアオミドロ（Ｓｐｉｒｏｇｙｒａ  ａｒｃｌａ）、ミズアオイ科、例えばホテイアオイ（Ｅｉｃｈｈｏｒｎｉａ  ｃｒａｓｓｉｐｅｓ）、サンショウモ科、例えばアカウキクサ（Ａｚｏｌｌａ  ｉｍｂｒｉｃａｔａ）、オオオアカウキクサ（Ａｚｏｌｌａ  ｊａｐｏｎｉｃａ）、サンショウモ（Ｓａｌｖｉｎｉａ  ｎａｔａｎａｓ）、サトイモ科、例えばボタンウキクサ（Ｐｉｓｔｉａ  ｓｔｒａｔｉｏｔｅｓ）、アリノトウグサ科、例えばオオフサモ（Ｍｙｒｉｏｐｈｙｌｌｕｍ  ａｑｕａｔｉｃｕｍ）などを挙げることができるが、本発明はこれらの例に限定されるものではない。
【００３４】
なお、本発明における「トリコデルマ属菌固体培養物の粉砕物（あるいは粉砕・整粒物）」は、単に状態を示すことにより構造を特定しているにすぎず、製造方法によって生産物を特定したものではない。また、この物の構造を前記以外で特定するための作業や解析を行うことは過大な経済的支出や時間を要するものである。
【００３５】
以下、本発明の実施例について述べるが、本発明はこれらの実施例のみに限定されるものではなく、本発明の技術的思想内においてこれらの様々な変形が可能である。
【実施例１】
【００３６】
（農薬製剤組成物の製造）  
トリコデルマ・アスペレロイデス  ＳＫＴ−１株を、大麦種子精白物（粒状物（品種：ハヤドリ２））を固体培地として用いて固体培養を行った。培養条件は、２５℃の温度で８日間とし、得られた培養物を乾燥後、微粉砕機（ＳＫ−Ｍ２Ｓ型、協立理工株式会社製）で１秒、２秒、１０秒、１５秒間粉砕した後に整粒したものを作製し、４種類の粒状農薬製剤組成物（製剤例１〜４）を得た。なお、これらの粒径２ｍｍ未満の粒子の含有率（目開き２ｍｍのふるいを通過する粒子の割合：質量％）は、製剤例１が４８．５％、製剤例２が６８．９％、製剤例３が９２．６％、製剤例４が１００％であった。
【実施例２】
【００３７】
（農薬製剤組成物のキュウリ白絹病防除効果試験）
キュウリ白絹病菌（Ｓｃｌｅｒｏｔｉｕｍ  ｒｏｌｆｓｉｉ）をＰＤＡ平板培地で前培養後、含菌寒天片を土壌ふすま培地（砂壌土２．５ｋｇ、ふすま２．０ｋｇ、酵母エキス３ｇ、グルコース２０ｇ、蒸留水１Ｌ）に混和し、２７℃で７日間培養した。この接種源と土壌（滅菌砂壌土：園芸培土（商品名：「くみあいニッピ園芸培土１号」、日本肥糧株式会社製）＝１：１（体積比））を１：５（体積比）の割合でよく混和し、ガラス湿室（２７℃、暗所）に一晩放置したものを汚染土壌とした。この汚染土壌約１５ｍｌをプラスチックカップ（径６ｃｍ）で育苗した子葉期キュウリ（品種：日支）の株元に敷き詰めることで接種した。接種後、実施例１の製剤例１〜４及び未粉砕の製剤（比較例）をそれぞれキュウリの株元に５００ｇ／ｍ２相当を散布した。参考例として、ＳＫＴ−１株液剤（商品名：「エコホープ」、クミアイ化学工業株式会社製）をＳＫＴ−１株液剤：水＝１：１４（質量比）の割合で希釈した散布液をキュウリの株元に３Ｌ／ｍ２相当を灌注したものも実施した。薬剤処理後、ガラス湿室（２７℃、暗所）内で２日間管理した後、発病の有無を調査し、以下の計算式により防除価を算出した。この試験結果を表１に示した。【００３８】
防除価＝（１−処理区の発病株率／無処理区の発病株率）×１００【００３９】
【表１】
2017188051.tif 000002
【００４０】
この結果、製剤中の粒径２ｍｍ未満の粒子の含有率が４０質量％以上となるように粉砕することで、液剤だけでなく、未粉砕の製剤と比較してもキュウリ白絹病防除効果が大きく向上することが明らかとなった。
【実施例３】
【００４１】
（農薬製剤組成物の各種穀物培地の違いによるキュウリ白絹病防除効果）
トリコデルマ・アスペレロイデス  ＳＫＴ−１株（商品名：「エコホープ」（登録商標）、クミアイ化学工業株式会社製）を、米種子、米種子精白物（いずれも品種はキヌヒカリ）、小麦種子（品種：農林６１号）、大麦種子、大麦種子精白物（いずれも品種はハヤドリ２）、大豆種子（品種：エンレイ）を固体培地として用いて実施例１と同様の条件で固体培養を行った。培養後、これらの培養物を乾燥させた後、微粉砕機（ＳＫ−Ｍ２Ｓ型、協立理工株式会社製）に投入し、粉砕し、各製剤とした。各製剤については、目開き２ｍｍのふるいを通過し１００μｍのふるいを通過しない粒子の含有率を測定した（表２）。【００４２】
そして、実施例２と同様の方法により、子葉期キュウリにキュウリ白絹病菌の接種を行った。接種後、各製剤をそれぞれキュウリの株元に２５０ｇ／ｍ２相当を散布した。薬剤処理後、ガラス湿室（２７℃、暗所）内で２日間管理した後、発病の有無を調査し、実施例２の計算式により防除価を算出した。この試験結果を下記表２に示した。【００４３】
【表２】
2017188051.tif 000003
【００４４】
この結果、米種子、米種子精白物、小麦種子、大麦種子、大麦種子精白物、大豆種子のいずれを用いても、粒径１００μｍ以上２ｍｍ未満の粒子の含有率が４０質量％以上となるように粉砕することで、キュウリ白絹病防除効果が向上することが明らかになった。また、これらの粉砕物については、いずれも有機リン系の殺菌剤であるトルクロホスメチル水和剤（商品名：「リゾレックス水和剤」（登録商標）、住友化学株式会社製）とほぼ同等の防除価であった。
【実施例４】
【００４５】
（各種トリコデルマ属菌を用いた農薬製剤組成物のキュウリ白絹病防除効果）
トリコデルマ属菌として、トリコデルマ・アスペレロイデス（Ｔｒｉｃｈｏｄｅｒｍａ  ａｓｐｅｒｅｌｌｏｉｄｅｓ）ＳＫＴ−１株（商品名：「エコホープ」（登録商標）、クミアイ化学工業株式会社製）、トリコデルマ・ハルジアナム（Ｔｒｉｃｈｏｄｅｒｍａ  ｈａｒｚｉａｎｕｍ）Ｔ−２２株（商品名：「トリコデソイル」（登録商標）、アリスタ  ライフサイエンス株式会社製）、トリコデルマ・ハマタム（Ｔｒｉｃｈｏｄｅｒｍａ  ｈａｍａｔｕｍ）ＮＢＲＣ  ３１９３２株（独立行政法人製品評価技術基盤機構より分譲）、トリコデルマｓｐ．（商品名：「トリコエースA」、株式会社秋田今野商店製）の分類の異なる４菌株のトリコデルマ属菌を用いた。そして、これらの胞子懸濁液を調製し、この胞子懸濁液を、実施例１と同様に大麦種子を固体培地として固体培養を行った。培養後、培養物を乾燥させた後、微粉砕機（ＳＫ−Ｍ２Ｓ型、協立理工株式会社製）に投入し、粉砕し、各製剤とした。各製剤については、目開き２ｍｍのふるいを通過し１００μｍのふるいを通過しない粒子の含有率を測定した（表３）。【００４６】
そして、実施例２と同様の方法により、子葉期キュウリにキュウリ白絹病菌の接種を行った。接種後、各製剤をそれぞれキュウリの株元に５００ｇ／ｍ２相当を散布した。薬剤処理後、ガラス湿室（２７℃、暗所）内で２日間管理した後、発病の有無を調査し、実施例２の計算式により防除価を算出した。この試験結果を下記表３に示した。【００４７】
【表３】
2017188051.tif 000004
【００４８】
この結果、いずれのトリコデルマ属菌についても、粒径１００μｍ以上２ｍｍ未満の粒子の含有率が４０質量％以上となるように粉砕することでキュウリ白絹病防除効果が向上することが明らかになった。【００４９】
本発明を要約すれば、以下の通りである。【００５０】
本発明は、病害虫及び／又は雑草に対する防除作用、並びに、植物の成長調整作用を有する微生物農薬製剤組成物において、その防除作用や成長調整作用がより向上した微生物農薬製剤組成物、その製造方法及びその使用による病害虫や雑草の防除方法、植物成長調整方法等を提供することを目的とする。【００５１】
そして、穀物の種子及び／又はその精白物を固体培地としたトリコデルマ属菌固体培養物の粉砕物を含有してなる農薬製剤組成物を施用することで、上記課題を解決する。
【受託番号】
【００５２】
本発明で国際寄託されている微生物の受託番号を下記に示す。
（１）トリコデルマ・アスペレロイデス（Ｔｒｉｃｈｏｄｅｒｍａ  ａｓｐｅｒｅｌｌｏｉｄｅｓ）  ＳＫＴ−１株（ＦＥＲＭ  ＢＰ−１６５１０）。【００５３】
2017188051.tif 000005
【国際調査報告】
2017188051.tif 000006
2017188051.tif 000007
2017188051.tif 000008
2017188051.tif 000009